(57)【特許請求の範囲】
【請求項１】
光ディスクに設けられた情報記憶装置の前記光ディスク上における位置を検出する位置検出手段と、
前記位置検出手段によって検出された前記情報記憶装置の前記光ディスク上における位置を位置情報として前記情報記憶装置に書き込む位置情報書込手段とを備えることを特徴とする位置検出装置。
【請求項２】
前記情報記憶装置は、レーザ光が入射する前記光ディスクの記録面に対向するレーベル面に貼り付けられ、
前記位置検出手段は、
前記レーベル面からレーザ光を照射し、フォーカスエラー信号を検出するフォーカスエラー信号検出手段と、
前記フォーカスエラー信号検出手段によって検出されたフォーカスエラー信号が他と異なる位置をトラバース位置として記憶するトラバース位置記憶手段と、
前記記録面からレーザ光を照射し、前記トラバース位置記憶手段に記憶されているトラバース位置に光ヘッドを移動させ、当該トラバース位置におけるトラック位置を検出するトラック位置検出手段とを含むことを特徴とする請求項１記載の位置検出装置。
【請求項３】
前記情報記憶装置は、レーザ光が入射する前記光ディスクの記録面に対向するレーベル面に貼り付けられるとともに、所定の電波を送信し、
前記位置検出手段は、
前記光ヘッドに設けられ、前記情報記憶装置によって送信される電波を受信する受信手段と、
前記光ヘッドを移動させ、前記受信手段によって受信される電波の強度が最大となる位置のアドレスを検出するアドレス検出手段とを含むことを特徴とする請求項１記載の位置検出装置。
【請求項４】
前記情報記憶装置は、レーザ光が入射する前記光ディスクの記録面に対向するレーベル面に貼り付けられるとともに、レーザ光の受光に応じて電波を送信し、
前記位置検出手段は、
前記情報記憶装置によって送信される電波を受信する受信手段と、
前記光ヘッドを移動させ、前記受信手段によって電波が受信されたときのアドレスを検出するアドレス検出手段とを含むことを特徴とする請求項１記載の位置検出装置。
【請求項５】
前記情報記憶装置は、レーザ光が入射する前記光ディスクの記録面に貼り付けられ、
前記位置検出手段は、前記光ディスクを再生し、再生することができないアドレスを検出するアドレス検出手段を含むことを特徴とする請求項１記載の位置検出装置。
【請求項６】
情報記憶装置が設けられた光ディスクへのアクセスを認証するアクセス認証装置であって、
前記情報記憶装置は、前記情報記憶装置が配置されている前記光ディスク上の位置を表す位置情報を記憶しており、
前記情報記憶装置が配置されている前記光ディスク上の位置を検出する位置検出手段と、
前記情報記憶装置から位置情報を読み出す位置情報読出手段と、
前記位置検出手段によって検出された位置が、前記位置情報読出手段によって読み出された位置情報と一致するか否かを判断する判断手段と、
検出された位置が読み出された位置情報と一致すると判断された場合、前記光ディスクへのアクセスを許可するアクセス許可手段とを備えることを特徴とするアクセス認証装置。
【請求項７】
前記情報記憶装置は、レーザ光が入射する前記光ディスクの記録面に対向するレーベル面に貼り付けられるとともに、前記情報記憶装置が貼り付けられている前記光ディスク上のトラック位置を表す位置情報を記憶しており、
前記位置検出手段は、
前記レーベル面からレーザ光を照射し、フォーカスエラー信号を検出するフォーカスエラー信号検出手段と、
前記フォーカスエラー信号検出手段によって検出されたフォーカスエラー信号が他と異なる位置をトラバース位置として記憶するトラバース位置記憶手段と、
前記記録面からレーザ光を照射し、前記トラバース位置記憶手段に記憶されているトラバース位置に光ヘッドを移動させ、当該トラバース位置におけるトラック位置を検出するトラック位置検出手段とを含むことを特徴とする請求項６記載のアクセス認証装置。
【請求項８】
前記情報記憶装置は、レーザ光が入射する前記光ディスクの記録面に対向するレーベル面に貼り付けられるとともに、前記情報記憶装置が貼り付けられている前記光ディスク上のアドレス位置を表す位置情報を記憶しているとともに、所定の電波を送信し、
前記位置検出手段は、
前記光ヘッドに設けられ、前記情報記憶装置によって送信される電波を受信する受信手段と、
前記光ヘッドを移動させ、前記受信手段によって受信される電波の強度が最大となる位置のアドレスを検出するアドレス検出手段とを含むことを特徴とする請求項６記載のアクセス認証装置。
【請求項９】
前記情報記憶装置は、レーザ光が入射する前記光ディスクの記録面に対向するレーベル面に貼り付けられるとともに、前記情報記憶装置が貼り付けられている前記光ディスク上のアドレス位置を表す位置情報を記憶しているとともに、レーザ光の受光に応じて電波を送信し、
前記位置検出手段は、
前記情報記憶装置によって送信される電波を受信する受信手段と、
前記光ヘッドを移動させ、前記受信手段によって電波が受信されたときのアドレスを検出するアドレス検出手段とを含むことを特徴とする請求項６記載のアクセス認証装置。
【請求項１０】
前記情報記憶装置は、レーザ光が入射する前記光ディスクの記録面に貼り付けられるとともに、前記情報記憶装置が貼り付けられている前記光ディスク上のアドレス位置を表す位置情報を記憶しており、
前記位置検出手段は、前記光ディスクを再生し、再生することができないアドレスを検出するアドレス検出手段を含むことを特徴とする請求項６記載のアクセス認証装置。
【請求項１１】
光ディスクに貼り付けられた情報記憶装置であって、
前記情報記憶装置の前記光ディスク上の位置を検出する位置検出装置によって検出された位置情報を前記位置検出装置から取得する位置情報取得手段と、
前記位置情報取得手段によって取得された位置情報を記憶する位置情報記憶手段とを備えることを特徴とする情報記憶装置。
【請求項１２】
情報記憶装置が予め決められた位置に埋め込まれた光ディスクであって、
前記情報記憶装置は、前記情報記憶装置の前記光ディスク上の位置情報を予め記憶する位置情報記憶手段を備えることを特徴とする光ディスク。
【請求項１３】
複数の記録層を有しており、
前記情報記憶装置は、前記複数の記録層のうちの１の記録層に配置されることを特徴とする請求項１２記載の光ディスク。
【請求項１４】
光ディスクに設けられた情報記憶装置の前記光ディスク上における位置を検出する位置検出ステップと、
前記位置検出ステップにおいて検出された前記情報記憶装置の前記光ディスク上における位置を位置情報として前記情報記憶装置に書き込む位置情報書込ステップとを含むことを特徴とする位置検出方法。
【請求項１５】
情報記憶装置が設けられた光ディスクへのアクセスを認証するためのアクセス認証方法であって、
前記情報記憶装置は、前記情報記憶装置が配置されている前記光ディスク上の位置を表す位置情報を記憶しており、
前記情報記憶装置が配置されている前記光ディスク上の位置を検出する位置検出ステップと、
前記情報記憶装置から位置情報を読み出す位置情報読出ステップと、
前記位置検出ステップにおいて検出された位置が、前記位置情報読出ステップにおいて読み出された位置情報と一致するか否かを判断する判断ステップと、
検出された位置が読み出された位置情報と一致すると判断された場合、前記光ディスクへのアクセスを許可するアクセス許可ステップとを含むことを特徴とするアクセス認証方法。
【請求項１６】
光ディスクに設けられた情報記憶装置の前記光ディスク上における位置を検出するための指示を行う位置検出指示手段と、
前記指示によって検出された前記情報記憶装置の前記光ディスク上における位置を位置情報として前記情報記憶装置に書き込むための指示を行う位置情報書込指示手段とを備えることを特徴とする位置検出制御装置。
【請求項１７】
光ディスクに設けられた情報記憶装置の前記光ディスク上における位置を検出するための指示を行う位置検出指示ステップと、
前記指示によって検出された前記情報記憶装置の前記光ディスク上における位置を位置情報として前記情報記憶装置に書き込むための指示を行う位置情報書込指示ステップとを含むことを特徴とする位置検出制御方法。
【請求項１８】
光ディスクに設けられた情報記憶装置の前記光ディスク上における位置を検出するための指示を行う位置検出指示手段と、
前記指示によって検出された前記情報記憶装置の前記光ディスク上における位置を位置情報として前記情報記憶装置に書き込むための指示を行う位置情報書込指示手段としてコンピュータを機能させることを特徴とする位置検出制御プログラム。
【請求項１９】
情報記憶装置が設けられた光ディスクへのアクセスを認証するアクセス認証制御装置であって、
前記情報記憶装置は、前記情報記憶装置が配置されている前記光ディスク上の位置を表す位置情報を記憶しており、
前記情報記憶装置が配置されている前記光ディスク上の位置が検出され、検出された位置が入力される検出位置入力手段と、
前記情報記憶装置から読み出された位置情報が入力される位置情報入力手段と、
前記検出位置入力手段に入力された検出位置が、前記位置情報入力手段に入力された位置情報と一致するか否かを判断する判断手段と、
前記判断手段によって検出位置が位置情報と一致すると判断された場合、前記光ディスクへのアクセスを許可するアクセス許可手段とを備えることを特徴とするアクセス認証制御装置。
【請求項２０】
情報記憶装置が設けられた光ディスクへのアクセスを認証するためのアクセス認証制御方法であって、
前記情報記憶装置は、前記情報記憶装置が配置されている前記光ディスク上の位置を表す位置情報を記憶しており、
前記情報記憶装置が配置されている前記光ディスク上の位置が検出され、検出された位置が入力される検出位置入力ステップと、
前記情報記憶装置から読み出された位置情報が入力される位置情報入力ステップと、
前記検出位置入力ステップにおいて入力された検出位置が、前記位置情報入力ステップにおいて入力された位置情報と一致するか否かを判断する判断ステップと、
前記判断ステップにおいて検出位置が位置情報と一致すると判断された場合、前記光ディスクへのアクセスを許可するアクセス許可ステップとを含むことを特徴とするアクセス認証制御方法。
【請求項２１】
情報記憶装置が設けられた光ディスクへのアクセスを認証するためのアクセス認証制御プログラムであって、
前記情報記憶装置は、前記情報記憶装置が配置されている前記光ディスク上の位置を表す位置情報を記憶しており、
前記情報記憶装置が配置されている前記光ディスク上の位置が検出され、検出された位置が入力される検出位置入力手段と、
前記情報記憶装置から読み出された位置情報が入力される位置情報入力手段と、
前記検出位置入力手段に入力された検出位置が、前記位置情報入力手段に入力された位置情報と一致するか否かを判断する判断手段と、
前記判断手段によって検出位置が位置情報と一致すると判断された場合、前記光ディスクへのアクセスを許可するアクセス許可手段としてコンピュータを機能させることを特徴とするアクセス認証制御プログラム。
【発明の詳細な説明】
【技術分野】
【０００１】
本発明は、記録媒体に設けられた情報記憶装置の位置を検出する位置検出装置、位置検出方法、位置検出制御装置、位置検出制御方法及び位置検出制御プログラムに関するものである。また、本発明は、情報記憶装置が設けられた記録媒体へのアクセスを認証するアクセス認証装置、アクセス認証方法、アクセス認証制御装置、アクセス認証制御方法及びアクセス認証制御プログラムに関するものである。さらに、本発明は、記録媒体に設けられた情報記憶装置に関するものである。さらにまた、本発明は、光ヘッドから照射されるレーザ光を用いて光記録情報を記録及び／又は再生される光ディスクに関するものである。
【背景技術】
【０００２】
従来、ＤＶＤ−Ｒ等の光ディスクに記録されたコンテンツデータを再生するＤＶＤプレーヤーが開発されている。このＤＶＤプレーヤーでは、ユーザが光ディスクを装填し、光記録情報として記録されているコンテンツデータをレーザ光を用いて読み出すことにより、記録されているコンテンツデータを再生している。
【０００３】
そして、近年、このようにして再生されるコンテンツデータの違法な複製が問題となっており、コンテンツデータの違法な複製を防止する技術には、例えば特許文献１などがある。特許文献１では、ユーザが設定した識別文に基づいて暗号鍵を生成し、生成した暗号鍵を光ディスクに記録する。そして、再生時には、光ディスクから暗号鍵が読み出され、読み出された暗号鍵から識別文が得られ、ユーザによる識別文の入力を要求する。続いて、ユーザにより入力された識別文と、暗号鍵から得られた識別文とが比較され、両者が一致した場合、光ディスクに記録されている主情報のうちの暗号鍵で指定された情報が再生される。この場合、識別文が入力されない限り、光ディスクに記録された主情報（コンテンツデータ）が再生されないので、コンテンツデータの違法な複製を防止することが可能である。
【特許文献１】特開平１０−２８３２７１号公報
【発明の開示】
【発明が解決しようとする課題】
【０００４】
しかしながら、上述の特許文献１の場合、コンテンツデータを再生する度に、識別文の入力が必要となり、ユーザにとってこの識別文の入力は非常に煩わしい操作である。また、ユーザが識別文を忘れてしまった場合、コンテンツデータを再生することができず、識別文の管理も容易ではなかった。
【０００５】
本発明は、上記の問題を解決するためになされたもので、記録媒体に記録されている情報の不正な複製を防止することができる位置検出装置、位置検出方法、位置検出制御装置、位置検出制御方法、位置検出制御プログラム、アクセス認証装置、アクセス認証方法、アクセス認証制御装置、アクセス認証制御方法、アクセス認証制御プログラム、情報記憶装置及び光ディスクを提供することを目的とするものである。
【課題を解決するための手段】
【０００６】
本発明の一局面に係る位置検出装置は、記録媒体に設けられた情報記憶装置の前記記録媒体上における位置を検出する位置検出手段と、前記位置検出手段によって検出された前記情報記憶装置の前記記録媒体上における位置を位置情報として前記情報記憶装置に書き込む位置情報書込手段とを備える。
【０００７】
本発明の他の局面に係る位置検出方法は、記録媒体に設けられた情報記憶装置の前記記録媒体上における位置を検出する位置検出ステップと、前記位置検出ステップにおいて検出された前記情報記憶装置の前記記録媒体上における位置を位置情報として前記情報記憶装置に書き込む位置情報書込ステップとを含む。
【０００８】
これらの構成によれば、記録媒体に設けられた情報記憶装置の記録媒体上における位置が検出され、検出された情報記憶装置の記録媒体上における位置が位置情報として情報記憶装置に書き込まれる。
【０００９】
したがって、記録媒体に設けられた情報記憶装置の記録媒体上における位置が検出され、検出された情報記憶装置の記録媒体上における位置が位置情報として情報記憶装置に書き込まれるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【００１０】
本発明の他の局面に係るアクセス認証装置は、情報記憶装置が設けられた記録媒体へのアクセスを認証するアクセス認証装置であって、前記情報記憶装置は、前記情報記憶装置が配置されている前記記録媒体上の位置を表す位置情報を記憶しており、前記情報記憶装置が配置されている前記記録媒体上の位置を検出する位置検出手段と、前記情報記憶装置から位置情報を読み出す位置情報読出手段と、前記位置検出手段によって検出された位置が、前記位置情報読出手段によって読み出された位置情報と一致するか否かを判断する判断手段と、検出された位置が読み出された位置情報と一致すると判断された場合、前記記録媒体へのアクセスを許可するアクセス許可手段とを備える。
【００１１】
本発明の他の局面に係るアクセス認証方法は、情報記憶装置が設けられた記録媒体へのアクセスを認証するためのアクセス認証方法であって、前記情報記憶装置は、前記情報記憶装置が配置されている前記記録媒体上の位置を表す位置情報を記憶しており、前記情報記憶装置が配置されている前記記録媒体上の位置を検出する位置検出ステップと、前記情報記憶装置から位置情報を読み出す位置情報読出ステップと、前記位置検出ステップにおいて検出された位置が、前記位置情報読出ステップにおいて読み出された位置情報と一致するか否かを判断する判断ステップと、検出された位置が読み出された位置情報と一致すると判断された場合、前記記録媒体へのアクセスを許可するアクセス許可ステップとを含む。
【００１２】
これらの構成によれば、情報記憶装置には、情報記憶装置が配置されている記録媒体上の位置を表す位置情報が記憶されており、情報記憶装置が配置されている記録媒体上の位置が検出され、情報記憶装置から位置情報が読み出される。そして、検出された位置が、読み出された位置情報と一致するか否かが判断され、検出された位置が読み出された位置情報と一致すると判断された場合、記録媒体へのアクセスが許可される。
【００１３】
したがって、検出された位置が読み出された位置情報と一致しないと判断された場合、記録媒体へのアクセスが許可されないので、例えば、記録媒体に設けられた情報記憶装置を取り外し、当該記録媒体に記録された情報を複製した他の記録媒体に貼り付けたとしても、貼り付けた位置が一致しない限り、記録媒体にアクセスすることはできず、記録媒体に記録されている情報の不正な複製を防止することができる。
【００１４】
本発明の他の局面に係る情報記憶装置は、記録媒体に貼り付けられた情報記憶装置の前記記録媒体上の位置を検出する位置検出装置によって検出された位置情報を前記位置検出装置から取得する位置情報取得手段と、前記位置情報取得手段によって取得された位置情報を記憶する位置情報記憶手段とを備える。
【００１５】
この構成によれば、記録媒体に貼り付けられた情報記憶装置の記録媒体上の位置を検出する位置検出装置によって検出された位置情報が記位置検出装置から取得され、取得された位置情報が記憶される。
【００１６】
したがって、記録媒体に設けられた情報記憶装置の記録媒体上における位置が位置情報として情報記憶装置に記憶されるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【００１７】
本発明の他の局面に係る光ディスクは、情報記憶装置が予め決められた位置に埋め込まれており、前記情報記憶装置は、前記情報記憶装置の前記光ディスク上の位置情報を予め記憶する位置情報記憶手段を備える。
【００１８】
この構成によれば、情報記憶装置が予め決められた位置に埋め込まれており、情報記憶装置には、情報記憶装置の光ディスク上の位置情報が予め記憶されているので、この位置情報を光ディスクへのアクセス認証に用いることにより、光ディスクに記録されている情報の不正な複製を防止することができる。例えば、情報記憶装置が埋め込まれた光ディスクに記録された情報を複製し、当該複製した光ディスクにアクセスする場合、情報記憶装置が埋め込まれていないため、光ディスクにアクセスすることはできず、光ディスクに記録されている情報の不正な複製を防止することができる。
【００１９】
本発明の他の局面に係る位置検出制御装置は、記録媒体に設けられた情報記憶装置の前記記録媒体上における位置を検出するための指示を行う位置検出指示手段と、前記指示によって検出された前記情報記憶装置の前記記録媒体上における位置を位置情報として前記情報記憶装置に書き込むための指示を行う位置情報書込指示手段とを備える。
【００２０】
本発明の他の局面に係る位置検出制御方法は、記録媒体に設けられた情報記憶装置の前記記録媒体上における位置を検出するための指示を行う位置検出指示ステップと、前記指示によって検出された前記情報記憶装置の前記記録媒体上における位置を位置情報として前記情報記憶装置に書き込むための指示を行う位置情報書込指示ステップとを含む。
【００２１】
本発明の他の局面に係る位置検出制御プログラムは、記録媒体に設けられた情報記憶装置の前記記録媒体上における位置を検出するための指示を行う位置検出指示手段と、前記指示によって検出された前記情報記憶装置の前記記録媒体上における位置を位置情報として前記情報記憶装置に書き込むための指示を行う位置情報書込指示手段としてコンピュータを機能させる。
【００２２】
これらの構成によれば、記録媒体に設けられた情報記憶装置の記録媒体上における位置の検出を検出するための指示が行われ、検出された情報記憶装置の記録媒体上における位置を位置情報として情報記憶装置に書き込むための指示が行われる。
【００２３】
したがって、記録媒体に設けられた情報記憶装置の記録媒体上における位置を検出するための指示が行われ、検出された情報記憶装置の記録媒体上における位置を位置情報として情報記憶装置に書き込むための指示が行われるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【００２４】
本発明の他の局面に係るアクセス認証制御装置は、情報記憶装置が設けられた記録媒体へのアクセスを認証するアクセス認証制御装置であって、前記情報記憶装置は、前記情報記憶装置が配置されている前記記録媒体上の位置を表す位置情報を記憶しており、前記情報記憶装置が配置されている前記記録媒体上の位置が検出され、検出された位置が入力される検出位置入力手段と、前記情報記憶装置から読み出された位置情報が入力される位置情報入力手段と、前記検出位置入力手段に入力された検出位置が、前記位置情報入力手段に入力された位置情報と一致するか否かを判断する判断手段と、検出位置が位置情報と一致すると判断された場合、前記記録媒体へのアクセスを許可するアクセス許可手段とを備える。
【００２５】
本発明の他の局面に係るアクセス認証制御方法は、情報記憶装置が設けられた記録媒体へのアクセスを認証するためのアクセス認証制御方法であって、前記情報記憶装置は、前記情報記憶装置が配置されている前記記録媒体上の位置を表す位置情報を記憶しており、前記情報記憶装置が配置されている前記記録媒体上の位置が検出され、検出された位置が入力される検出位置入力ステップと、前記情報記憶装置から読み出された位置情報が入力される位置情報入力ステップと、前記検出位置入力ステップにおいて入力された検出位置が、前記位置情報入力ステップにおいて入力された位置情報と一致するか否かを判断する判断ステップと、前記判断ステップにおいて検出位置が位置情報と一致すると判断された場合、前記記録媒体へのアクセスを許可するアクセス許可ステップとを含む。
【００２６】
本発明の他の局面に係るアクセス認証制御プログラムは、情報記憶装置が設けられた記録媒体へのアクセスを認証するためのアクセス認証制御プログラムであって、前記情報記憶装置は、前記情報記憶装置が配置されている前記記録媒体上の位置を表す位置情報を記憶しており、前記情報記憶装置が配置されている前記記録媒体上の位置が検出され、検出された位置が入力される検出位置入力手段と、前記情報記憶装置から読み出された位置情報が入力される位置情報入力手段と、前記検出位置入力手段に入力された検出位置が、前記位置情報入力手段に入力された位置情報と一致するか否かを判断する判断手段と、前記判断手段によって検出位置が位置情報と一致すると判断された場合、前記記録媒体へのアクセスを許可するアクセス許可手段としてコンピュータを機能させる。
【００２７】
これらの構成によれば、情報記憶装置には、情報記憶装置が配置されている記録媒体上の位置を表す位置情報が記憶されている。情報記憶装置が配置されている記録媒体上の位置が検出され、検出された位置が入力される。続いて、情報記憶装置から読み出された位置情報が入力される。そして、検出位置が位置情報と一致するか否かが判断され、検出位置が位置情報と一致すると判断された場合、記録媒体へのアクセスが許可される。
【００２８】
したがって、検出位置が位置情報と一致しないと判断された場合、記録媒体へのアクセスが許可されないので、例えば、記録媒体に設けられた情報記憶装置を取り外し、当該記録媒体に記録された情報を複製した他の記録媒体に貼り付けたとしても、貼り付けた位置が一致しない限り、記録媒体にアクセスすることはできず、記録媒体に記録されている情報の不正な複製を防止することができる。
【発明の効果】
【００２９】
本発明によれば、記録媒体に設けられた情報記憶装置の記録媒体上における位置が検出され、検出された情報記憶装置の記録媒体上における位置が位置情報として情報記憶装置に書き込まれるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【００３０】
本発明の目的、特徴及び利点は、以下の詳細な説明と添付図面とによって、より明白となる。
【発明を実施するための最良の形態】
【００３１】
以下、本発明の各実施形態による光ディスク情報アクセスシステム（記録媒体情報アクセスシステム）について図面を参照しながら説明する。図１は、本発明の第１の実施形態による光ディスク情報アクセスシステムの概略構成を示す図であり、図２及び図３は、図１に示す光ディスク情報アクセスシステムの具体的な構成を示すブロック図である。
【００３２】
図１に示す光ディスク情報アクセスシステムは、情報記録再生装置２、ＲＦＩＤ（Radio Frequency Identification）タグ３、アンテナ４及びモニタ５を備えて構成される。ＲＦＩＤタグ３は、光ディスクＯＤに設けられている。情報記録再生装置２とＲＦＩＤタグ３とは、無線方式により互いに通信可能に接続されている。アンテナ４は、放送局から伝送される電波を受信して番組等のコンテンツデータを情報記録再生装置２へ出力する。なお、本明細書では、コンテンツデータを適宜「コンテンツ」と簡略して表現する。レーザ光を用いて光記録情報を記録及び／又は再生する情報記録再生装置（例えば、ＤＶＤレコーダー）２は、アンテナ４を介して受信したコンテンツデータを可換記録媒体又は固定記録媒体に録画する。モニタ５は、情報記録再生装置２により再生されるコンテンツを表示してユーザに提示する。
【００３３】
図２は、図１に示す情報記録再生装置２の内部構成を示すブロック図である。図２に示す情報記録再生装置２は、チューナ１１、デコーダ１２、記録部１３、記録及び再生インターフェース部１４、可換記録媒体記録部１５、固定記録媒体記録部１６、メモリカード記録部１７、再生部１８、出力部１９、制御部２０、操作部２１及び通信部２２を備えて構成される。
【００３４】
チューナ１１は、アンテナ４に接続されており、アンテナ４が受信した放送電波から、操作部２１を用いてユーザが選択したチャンネルの番組データを抽出してデコーダ１２へ出力する。なお、本明細書では、番組データを適宜「番組」と簡略して表現する。デコーダ１２は、デジタルＴＶ放送による番組を受信した場合に用いられ、圧縮符号化された形式で受信された番組を復号化して記録部１３及び出力部１９へ出力する。出力部１９は、番組をモニタ５へ出力して表示させる。
【００３５】
記録部１３は、記録及び再生インターフェース部１４を介して可換記録媒体記録部１５、固定記録媒体記録部１６及びメモリカード記録部１７へコンテンツを出力し、記録動作を制御する。例えば、可換記録媒体記録部１５としてはＤＶＤドライブが用いられ、固定記録媒体記録部１６としてはハードディスクドライブが用いられ、メモリカード記録部１７としてはメモリカードリーダー・ライターが用いられる。また、記録用の可換記録媒体として、例えば、ＤＶＤ−ＲＡＭ、ＤＶＤ−Ｒ、ＣＤ−ＲＷ、ＣＤ−Ｒ、ＰＤ（Phase change rewritable Disk）、Blu-ray Disk（ブルーレイディスク）等の光ディスク等が用いられ、固定記録媒体としては、ハードディスク等が用いられ、メモリカードとしては、半導体メモリ等から構成されるＳＤ（Secure Digital）メモリカード等が用いられる。また、再生用の可換記録媒体として、上記光ディスクに加えて、例えば、ＤＶＤ−ＲＯＭ、ＣＤ−ＲＯＭ等が用いられる。なお、情報記録再生装置２が備える記録部は、上記の例に特に限定されず、種々の変更が可能である。
【００３６】
操作部２１は、ユーザの操作指示を受け付けて制御部２０へ出力する。例えば、操作部２１は、光ディスクに記録されているコンテンツの再生指示を受け付けて制御部２０へ出力する。なお、本実施形態では、情報記録再生装置２に付属のリモコン装置によりユーザの再生指示の入力を受け付けてもよい。
【００３７】
再生部１８は、可換記録媒体記録部１５、固定記録媒体記録部１６及びメモリカード記録部１７により再生されたコンテンツを記録及び再生インターフェース部１４を介して受信して出力部１９へ出力し、再生動作を制御する。記録及び再生インターフェース部１４は、記録部１３及び再生部１８と可換記録媒体記録部１５、固定記録媒体記録部１６及びメモリカード記録部１７とのインターフェースを行う。
【００３８】
制御部２０は、ＲＯＭ（リードオンリメモリ）及びＲＡＭ（ランダムアクセスメモリ）等を備えるマイクロプロセッサ等から構成され、記録部１３、記録及び再生インターフェース部１４、再生部１８、操作部２１及び通信部２２の動作を制御する。通信部２２は、アンテナ及び通信回路等から構成され、無線方式により双方向で種々の情報をＲＦＩＤタグ３と送信及び受信する。
【００３９】
図３は、図１に示すＲＦＩＤタグ３の内部構成を示すブロック図である。ＲＦＩＤタグ３は、制御部３０１、ＲＯＭ３０２、ＲＷＭ（リライタブルメモリ）３０３及び通信部３０４を備えて構成される。
【００４０】
ＲＦＩＤタグ３は、光ディスクＯＤの光記録情報領域（図１に示す斜線部）外の内周部（クランプ領域）に埋め込まれ、非接触ＩＣチップを使った記憶媒体と、アンテナを埋め込んだプレート（タグ）とから構成される。光ディスクＯＤとしては、ＤＶＤ−ＲＷ、ＤＶＤ＋ＲＷ、ＤＶＤ−ＲＡＭ、ＢＤ（Blu-ray Disc）、ＨＤ  ＤＶＤ等の種々の光記録媒体を用いることができる。ＲＦＩＤタグ３としては、例えば、日立製作所社製非接触ＩＣチップ「ミューチップＲＷ」を用いることができるが、この例に特に限定されず、他のＲＦＩＤチップを用いてもよい。また、ＲＦＩＤタグを埋め込むことなく、シール形態のＲＦＩＤタグを光ディスクの表面に貼付してもよい。
【００４１】
制御部３０１は、ＣＰＵ等から構成され、通信部３０４の動作を制御するとともに、通信部３０４を介して受信した制御指令等に応じてＲＯＭ３０２及びＲＷＭ３０３の動作を制御する。ＲＯＭ３０２には、読み出すことはできるが、書き換えることはできない特定情報、例えば、光ディスクの種類（ＣＤ、ＤＶＤ、ＢＤ等）を示す情報、光ディスク毎に異なる情報（シリアルナンバー等）、光ディスクに記録されている光記録情報を再生するために必要不可欠な情報（ディスクナビゲーション情報、プログラム、システムファイル等）が製造時等に予め記憶される。ＲＷＭ３０３には、書き換え可能な特定の情報、例えば、光ディスクに記録された光記録情報を再生した再生回数情報が記憶される。通信部３０４は、アンテナ及び通信回路等から構成され、無線方式により双方向で種々の情報を情報記録再生装置２と送信及び受信する。
【００４２】
なお、ＲＷＭ３０３に記録される特定情報は、上記の例に特に限定されず、光ディスクＯＤに記録されている内容を示す番組情報（例えば、タイトル、総時間、出演者、簡単な内容、制作日、録画日時）を記録してもよい。
【００４３】
また、本実施形態における情報記録再生装置２は、光ディスクへの情報の記録、及び／又は光ディスクからの情報の再生を行うものであるが、本発明は特にこれに限定されず、光ディスクからの情報の再生のみを行う装置（例えば、ＤＶＤプレーヤー等）であってもよい。この場合、アンテナ４、チューナ１１、デコーダ１２及び記録部１３等は不要となる。
【００４４】
本実施形態では、情報記録再生装置２が情報記録再生装置の一例に相当し、ＲＦＩＤタグ３が情報記憶装置の一例に相当する。また、ＲＯＭ３０２及びＲＷＭ３０３が情報記憶装置の記憶手段の一例に相当する。また、制御部２０及び通信部２２が情報記録再生装置の読み出し手段、再生手段、更新手段及び特定手段の一例に相当する。
【００４５】
次に、本発明に係る光ディスクＯＤについて説明する。図４は、本発明に係る光ディスクについて説明するための図である。図４に示すように、本発明における光ディスクＯＤは、記録部材３１とクランプ部材３２との２つの部材で構成される。記録部材３１は、番組、映画及び音楽などのコンテンツデータ（光記録情報）を記録する記録領域を有しており、クランプ部材３２は、光記録情報が記録された記録領域の内周部分から光ディスクの中心に形成された中心孔までの間の領域（クランプ領域）を有している。クランプ部材３２は、光ディスクＯＤを固定して回転させるものであり、記録部材３１に着脱可能な構成となっている。記録部材３１にクランプ部材３２を装着することによって、クランプ部材３２は、可換記録媒体記録部１５のディスク保持機構により挟み付けて保持する部分として使用されることになる。このため、クランプ部材３２は、光ディスクＯＤがターンテーブルに載置され、クランパにより保持されたとき、光学系に対するディスクの基準面として機能することになる。記録部材３１とクランプ部材３２とは、係合部材によって係合されており、スピンドルモータにより、記録部材３１とクランプ部材３２とが一体となって回転される。また、上述したようにクランプ部材３２には、ＲＦＩＤタグ３が備えられている。ここで、記録部材３１が記録する光記録情報には、光記録情報を再生するために必要不可欠な再生情報が含まれていない。この再生情報は、ＲＦＩＤタグ３に記憶されている。
【００４６】
なお、本実施形態におけるクランプ部材３２は光ディスクＯＤと同心円のドーナツ形状であるが、本発明は特にこれに限定されず、クランプ部材３２は、その外周部分が記録部材３１に係合する形状であってもよい。この場合、記録部材３１とクランプ部材３２とを係合する係合部材が不要となり、記録部材３１とクランプ部材３２とが摺動することなく光ディスクＯＤを回転させることができる。
【００４７】
このように、レーザ光を用いて光記録情報を記録及び／又は再生される光ディスクＯＤは、光記録情報を記録する記録部材３１と、記録部材３１に着脱可能なクランプ部材３２とを備えている。そして、クランプ部材３２は、光記録情報を再生するために必要不可欠な再生情報が記憶されたＲＦＩＤタグ３を備えている。
【００４８】
したがって、光記録情報を再生する場合には、光記録情報を記録する記録部材３１と、光記録情報を再生するために必要不可欠な再生情報を記憶するＲＦＩＤタグ３が備えられたクランプ部材３２とが必ず必要であり、この２つが無ければ光記録情報を再生することができない。そのため、記録部材３１に記録されている光記録情報を複製したとしても、クランプ部材３２がなければ再生することができないので、光ディスクに記録されている光記録情報の不正な複製を防止することができる。
【００４９】
また、着脱部材が、光記録情報が記録された記録領域の内周部分から光ディスクＯＤの中心に形成された中心孔までの間のクランプ領域部分であるので、このクランプ領域部分を記録部材３１に装着することで光ディスクＯＤをバランスよく回転させることができる。
【００５０】
次に、上記のように構成された光ディスク情報アクセスシステムにおける情報再生処理について説明する。図５は、図１〜３に示す光ディスク情報アクセスシステムにおける情報再生処理の一例を説明するためのフローチャートである。なお、以下の説明では、クランプ部材３２が記録部材３１に装着された光ディスクＯＤが既に情報記録再生装置２に装填されているものとして説明する。
【００５１】
まず、ユーザが情報記録再生装置２の操作部２１の所定の入力キーを用いてコンテンツの再生指示を入力すると、ステップＳ１において、情報記録再生装置２の制御部２０は、操作部２１を介してユーザからの再生指示を受け付ける。
【００５２】
次に、ステップＳ２において、情報記録再生装置２の制御部２０は、通信可能通知を要求するための通信要求を送信するように通信部２２に指示し、通信部２２は、通信要求をＲＦＩＤタグ３へ送信する。次に、ステップＳ３において、制御部２０は、通信部２２が通信可能通知を受信したか否かを判断し、通信可能通知を受信しない場合、ステップＳ２に戻って通信要求を再度送信し、通信可能通知を受信した場合、ステップＳ４へ処理を移行する。
【００５３】
なお、情報記録再生装置２の通信部２２とＲＦＩＤタグ３との位置関係が通信可能範囲外にある場合、ＲＦＩＤタグ３は、情報記録再生装置２からの通信要求を受信することができないため、通信可能通知を送信することはできない。この場合、情報記録再生装置２の制御部２０は、通信可能通知を受信していないと判断してステップＳ２へ処理を移行する。
【００５４】
一方、情報記録再生装置２とＲＦＩＤタグ３との位置関係が通信可能範囲にある場合、ステップＳ１１において、ＲＦＩＤタグ３の通信部３０４は、通信要求を受信して制御部３０１へ出力する。次に、ステップＳ１２において、制御部３０１は、通信可能状態にあることを通知するための通信可能通知を送信するように通信部３０４に指示し、通信部３０４は、通信可能通知を情報記録再生装置２へ送信する。この場合、情報記録再生装置２の制御部２０は、通信可能通知を受信したと判断してステップＳ４へ処理を移行する。
【００５５】
通信可能通知を受信した場合、ステップＳ４において、制御部２０は、通信部２２に再生情報送信要求を送信するように指示し、通信部２２は、再生情報送信要求をＲＦＩＤタグ３へ送信する。
【００５６】
次に、ステップＳ１３において、ＲＦＩＤタグ３の通信部３０４は、再生情報送信要求を受信して制御部３０１へ出力する。次に、ステップＳ１４において、制御部３０１は、ＲＯＭ３０２に記憶されている再生情報を読み出す。なお、再生情報の一部（例えば、再生回数情報）がＲＷＭ３０３に記憶されている場合、制御部３０１は、ＲＷＭ３０３に記憶されている再生情報の一部を読み出す。次に、ステップＳ１５において、制御部３０１は、通信部３０４に再生情報を送信するように指示し、通信部３０４は、再生情報を情報記録再生装置２へ送信する。
【００５７】
次に、ステップＳ５において、情報記録再生装置２の通信部２２は、再生情報を受信して制御部２０へ出力する。次に、ステップＳ６において、制御部２０は、再生情報に含まれる再生回数が予め記憶されている所定回数以上であるか否かを判断する。なお、この所定回数は、制御部２０のＲＯＭに予め記憶しておいてもよく、また、ＲＦＩＤタグ３のＲＯＭ３０２に予め記憶しておき、再生情報に含めて情報記録再生装置２に送信してもよく、さらに、光ディスクＯＤに予め記録しておき、光ディスクＯＤから読み出してもよい。ここで、再生回数が所定回数以上であると判断された場合（ステップＳ６でＹＥＳ）、ステップＳ１０の処理へ移行し、再生回数が所定回数より少ないと判断された場合（ステップＳ６でＮＯ）、ステップＳ７の処理へ移行する。
【００５８】
再生回数が所定回数以上であると判断された場合、ステップＳ１０において、制御部２０は、光ディスクＯＤに記録されているコンテンツを再生することができない旨を報知するコンテンツ再生不可画面をモニタ５に表示させる。
【００５９】
一方、再生回数が所定回数より少ないと判断された場合、ステップＳ７において、制御部２０は、記録及び再生インターフェース部１４と再生部１８とを制御し、再生情報に基づいて光ディスクＯＤに記録されたコンテンツを再生する。なお、光ディスクに記録されている光記録情報には複数のコンテンツが含まれており、再生情報には、複数のコンテンツの中から特定のコンテンツのみを再生するための情報が含まれている。そのため、制御部２０は、再生情報に基づいて光ディスクＯＤに記録されているコンテンツを特定し、特定したコンテンツを再生する。
【００６０】
次に、ステップＳ８において、制御部２０は、コンテンツの再生が開始されると、再生回数を更新する。具体的には、制御部２０は、再生回数を１だけインクリメントすることにより更新する。次に、ステップＳ９において、制御部２０は、通信部２２に対し、更新された再生回数を送信するように指示し、通信部２２は、再生回数をＲＦＩＤタグ３へ送信する。
【００６１】
次に、ステップＳ１６において、ＲＦＩＤタグ３の通信部３０４は、再生回数を受信して制御部３０１へ出力する。次に、ステップＳ１７において、制御部３０１は、情報記録再生装置２から送信された再生回数をＲＷＭ３０３に書き込む。
【００６２】
なお、コンテンツに再生回数の制限がない場合、ステップＳ６，Ｓ８〜Ｓ１０，Ｓ１６，Ｓ１７の処理は不要となる。
【００６３】
このように、光記録情報を再生するために必要不可欠な再生情報がＲＦＩＤタグ３のＲＯＭ３０２又はＲＷＭ３０３に記憶されている。そして、情報記録再生装置２の制御部２０によって、ＲＯＭ３０２又はＲＷＭ３０３から再生情報が読み出され、読み出された再生情報に基づいて光ディスクＯＤに記録された光記録情報が再生される。
【００６４】
したがって、光記録情報を再生する場合には、光記録情報を再生するために必要不可欠な再生情報をＲＦＩＤタグ３から読み出す必要があり、ＲＦＩＤタグ３が無ければ光記録情報を再生することができない。そのため、光ディスクＯＤに記録されている光記録情報を複製したとしても、ＲＦＩＤタグ３がなければ再生することができないので、光ディスクＯＤに記録されている光記録情報の不正な複製を防止することができる。また、従来のような識別文（パスワード）の入力が不要となるので、ユーザの操作性を向上させることができる。
【００６５】
また、光記録情報が再生された場合、ＲＷＭ３０３に記憶されている再生回数が更新される。そして、再生回数が所定回数に達した場合、光記録情報の再生が行われないので、再生回数を制限することができる。
【００６６】
さらに、ＲＦＩＤタグ３のＲＯＭ３０２には、複数のコンテンツの中から特定のコンテンツのみを再生するために必要不可欠な再生情報が記憶されており、読み出された再生情報に基づいて、特定のコンテンツのみが再生される。したがって、１の光ディスクに複数のコンテンツが記録されていたとしても、各コンテンツに対応する再生情報を記憶するＲＦＩＤタグ３がなければ、コンテンツを再生することができないので、複数のコンテンツが記録された光ディスクＯＤを有するユーザは所望のコンテンツを再生することが可能なＲＦＩＤタグ３のみを入手することで、所望のコンテンツを再生することができる。
【００６７】
例えば、複数のコンテンツが記録された記録部材３１を無料で配布し、ユーザは、複数のコンテンツの中から所望するコンテンツを再生することが可能なクランプ部材３２を購入又はレンタルする。これにより、コンテンツ毎に光ディスクを製造する必要が無くなり、複数のコンテンツが記録された記録部材３１を大量に製造することで、製造コストを削減することができる。
【００６８】
次に、本発明の第２の実施形態における光ディスク情報アクセスシステムについて説明する。現在、市場には、複数の規格の光ディスクが存在しており、将来的にもさらに多くの規格の光ディスクが乱立する虞がある。そのため、規格の異なる光ディスクを再生するには、それぞれの規格に応じた再生装置が必要であり、装置に互換性が求められている。しかしながら、全ての規格に対応することが可能な再生装置を製造することはほぼ不可能である。そこで、第２の実施形態では、このような複数の規格に対応することが可能な光ディスク情報アクセスシステムを実現する。
【００６９】
なお、第２の実施形態における光ディスク情報アクセスシステムの構成については、上述した第１の実施形態における光ディスク情報アクセスシステムの構成と同じであるので説明を省略する。ここでは、第２の実施形態における光ディスク情報アクセスシステムの動作について説明する。
【００７０】
図６は、第２の実施形態の光ディスク情報アクセスシステムにおける情報再生処理の一例について説明するためのフローチャートである。なお、以下の説明では、クランプ部材３２が記録部材３１に装着された光ディスクＯＤが既に情報記録再生装置２に装填されているものとして説明する。ステップＳ２１における処理は、図５に示すステップＳ１の処理と同じであるので説明を省略する。
【００７１】
次に、ステップＳ２２において、制御部２０は、記録及び再生インターフェース部１４及び可換記録媒体記録部１５を制御し、光ディスクＯＤのＢＣＡ（Burst Cutting Area）に記録されている光ディスクを識別するためのディスクＩＤを読み取って取得する。
【００７２】
ステップＳ２３，Ｓ２４，Ｓ４１，Ｓ４２の処理は、図５に示すステップＳ２，Ｓ３，Ｓ１１，Ｓ１２の処理と同じであるので説明を省略する。
【００７３】
次に、ステップＳ２５において、制御部２０は、通信部２２に再生情報送信要求を送信するように指示し、通信部２２は、再生情報送信要求をＲＦＩＤタグ３へ送信する。この再生情報送信要求には、光ディスクＯＤから読み取ったディスクＩＤが含まれる。
【００７４】
次に、ステップＳ４３において、ＲＦＩＤタグ３の通信部３０４は、再生情報送信要求を受信して制御部３０１へ出力する。
【００７５】
次に、ステップＳ４４において、制御部３０１は、受信した再生情報送信要求に含まれるディスクＩＤに対応する再生情報がＲＯＭ３０２に記憶されているか否かを判断する。ＲＦＩＤタグ３のＲＯＭ３０２には、規格の異なる複数の光ディスクのディスクＩＤに応じた複数の再生情報が記憶されている。ここで、ディスクＩＤに対応する再生情報が記憶されていないと判断された場合（ステップＳ４４でＮＯ）、ステップＳ４５の処理へ移行し、ディスクＩＤに対応する再生情報が記憶されていると判断された場合（ステップＳ４４でＹＥＳ）、ステップＳ４６の処理へ移行する。
【００７６】
ディスクＩＤに対応する再生情報が記憶されていないと判断された場合、ステップＳ４５において、制御部３０１は、通信部３０４に再生不可情報を送信するように指示し、通信部３０４は、再生不可情報を情報記録再生装置２へ送信する。なお、この再生不可情報とは、受信したディスクＩＤに対応する再生情報がない（記憶されていない）ことを表す情報である。
【００７７】
次に、ステップＳ２６において、情報記録再生装置２の通信部２２は、再生不可情報を受信して制御部２０へ出力する。次に、ステップＳ２７において、制御部２０は、光ディスクＯＤに記録されているコンテンツを再生することができない旨を報知するコンテンツ再生不可画面をモニタ５に表示させる。
【００７８】
一方、ディスクＩＤに対応する再生情報が記憶されていると判断された場合、ステップＳ４６において、制御部３０１は、ＲＯＭ３０２に記憶されている再生情報の中から、受信したディスクＩＤに対応する再生情報を読み出す。なお、再生情報の一部（例えば、再生回数情報）がＲＷＭ３０３に記憶されている場合、制御部３０１は、ＲＷＭ３０３に記憶されている再生情報の一部の中から、受信したディスクＩＤに対応する再生情報の一部を読み出す。次に、ステップＳ４７において、制御部３０１は、通信部３０４に再生情報を送信するように指示し、通信部３０４は、再生情報を情報記録再生装置２へ送信する。
【００７９】
次に、ステップＳ２８において、情報記録再生装置２の通信部２２は、再生情報を受信して制御部２０へ出力する。次に、ステップＳ２９において、制御部２０は、再生情報に含まれる再生回数が予め記憶されている所定回数以上であるか否かを判断する。ここで、再生回数が所定回数以上であると判断された場合（ステップＳ２９でＹＥＳ）、ステップＳ２７の処理へ移行し、再生回数が所定回数より少ないと判断された場合（ステップＳ２９でＮＯ）、ステップＳ３０の処理へ移行する。
【００８０】
ステップＳ３０〜Ｓ３２，Ｓ４８，Ｓ４９の処理は、図５に示すステップＳ７〜Ｓ９，Ｓ１６，Ｓ１７の処理と同じであるので説明を省略する。
【００８１】
このように、ＲＦＩＤタグ３のＲＯＭ３０２には、規格の異なる複数の光ディスクのそれぞれに割り当てられたディスクＩＤ（識別情報に相当する）に応じた複数の再生情報が記憶されている。そして、情報記録再生装置２によって、ドライブに装着された光ディスクＯＤに固有のディスクＩＤが取得され、取得されたディスクＩＤに対応する再生情報がＲＦＩＤタグ３のＲＯＭ３０２から読み出され、読み出された再生情報に基づいて光記録情報が再生される。したがって、１つのＲＦＩＤタグ３を用いて規格の異なる複数の光ディスクに記録された光記録情報を再生することができ、特に、光ディスクの規格が乱立している場合に容易に互換性を保つことができる。
【００８２】
例えば、同一のコンテンツが記憶された規格の異なる２枚の記録部材３１と、２枚の記録部材３１のそれぞれに着脱可能なクランプ部材３２とを１セットにして販売する。この場合、購入者であるユーザは、所有する情報記録再生装置で再生することのできる規格に応じた一方の記録部材３１と、クランプ部材３２とを組み合わせることにより、記録部材３１に記録されたコンテンツを再生することができる。
【００８３】
なお、上述の各実施形態では、ＤＶＤレコーダーなどの情報記録再生装置が番組や映画や音楽などのコンテンツデータを再生する場合について説明しているが、本発明は特にこれに限定されず、ソフトウェアなどのアプリケーションデータを再生（読み出し）してもよい。この場合、情報記録再生装置は、パーソナルコンピュータ等で構成してもよい。
【００８４】
次に、本発明における光ディスクの変形例について説明する。第１の実施形態及び第２の実施形態における光ディスクは、光記録情報が記録された記録領域の内周部分から光ディスクの中心に形成された中心孔までの間のクランプ領域部分に相当するクランプ部材３２を着脱可能に構成し、クランプ部材にＲＦＩＤタグ３を備えているが、本発明は特にこれに限定されず、光ディスクは、光記録情報が記録された記録領域の内周部分から光ディスクの中心に形成された中心孔までの間のクランプ領域部分であり、光ディスクの中心線より一方側の一部分を着脱可能に構成し、クランプ領域の一部分にＲＦＩＤタグ３を備えてもよい。図７は、第１の変形例における光ディスクについて説明するための図である。
【００８５】
図７に示すように、本発明の第１の変形例において、光ディスクＯＤは、光記録情報を記録する記録領域３３と、光記録情報が記録された記録領域の内周部分から光ディスクの中心に形成された中心孔までの間のクランプ領域３４とを有する記録部材３１と、クランプ領域３４の光ディスクの中心線より一方側の一部分に着脱可能な着脱部材３５との２つの部材で構成される。記録部材３１のクランプ領域３４の光ディスクＯＤの中心線より一方側には所定の形状の穴が形成されており、着脱部材３５がこの穴に嵌め込まれる。そして、スピンドルモータにより、記録部材３１と着脱部材３５とが一体となって回転される。また、着脱部材３５には、ＲＦＩＤタグ３が備えられている。なお、クランプ領域３４の穴の形状及び着脱部材３５の形状は、図７に示す例に限らず、他の形状であってもよい。
【００８６】
このように、記録部材に着脱可能な着脱部材が、光記録情報が記録された記録領域の内周部分から光ディスクの中心に形成された中心孔までの間のクランプ領域３４の一部分であるので、このクランプ領域３４の一部分をクランプ領域３４に装着することで、記録部材３１と着脱部材３５とが摺動することなく光ディスクＯＤを回転させることができる。
【００８７】
また、光ディスクＯＤの外周側に取り付けられるアダプタにＲＦＩＤタグ３を備えてもよい。図８は、第２の変形例における光ディスクについて説明するための図である。
【００８８】
例えば、情報記録再生装置２で読み取ることのできる光ディスクの径が１２ｃｍであり、読み取る光ディスクの径が８ｃｍである場合、光ディスクの外周側にアダプタ３６が取り付けられる。図８に示すように、本発明の第２の変形例においては、光ディスクＯＤの外周側に取り付けられるアダプタ３６にＲＦＩＤタグ３が備えられている。ユーザは、ＲＦＩＤタグ３が備えられたアダプタ３６を光ディスクＯＤに装着し、情報記録再生装置２に装填する。このように、着脱部材が光ディスクＯＤの外周側に取り付けられるアダプタ３６であるので、このアダプタ３６を光ディスクＯＤに装着することで光記録情報を再生することができる。
【００８９】
さらに、光ディスクＯＤを収納するカートリッジにＲＦＩＤタグ３を備えてもよい。図９は、第３の変形例における光ディスクについて説明するための図である。
【００９０】
図９に示すように、本発明の第３の変形例においては、光ディスクＯＤを収納するカートリッジ３７にＲＦＩＤタグ３が備えられている。なお、図９に示す例では、カートリッジ３７の右上端部にＲＦＩＤタグ３を備えているが、左上端部、右下端部及び左下端部などカートリッジ３７の他の部分にＲＦＩＤタグ３を備えてもよい。また、カートリッジ３７は記録部材（光ディスクＯＤ）に着脱可能であるが、必ずしも接していなくてもよい。このように、着脱部材が光ディスクＯＤを収納するカートリッジ３７であるので、このカートリッジ３７を光ディスクＯＤに装着することで光記録情報を再生することができる。
【００９１】
なお、本発明に係る光ディスクＯＤは、病院などにおけるカルテとして用いることが可能である。例えば、記録部材３１に患者のカルテデータを記録しておき、このカルテデータを再生するために必要不可欠な再生情報を記録したＲＦＩＤタグ３が備えられたクランプ部材３２を患者個人及び病院が所有する。この場合、記録部材３１に記録されたカルテデータを再生することが可能なＲＦＩＤタグ３が備えられたクランプ部材３２を患者個人が所有するので、個人情報を保護することができ、個人情報へのアクセスを管理することができる。
【００９２】
なお、本実施形態は、上述した光ディスク以外の記録媒体にも適用することができ、例えば、半導体メモリであってもよい。この場合、例えば、ＭｉｎｉＳＤメモリカードにＲＦＩＤタグが設けられたカードアダプタを装着する。また、レーザ光を用いず電子ビームで情報が記録される記録媒体や、磁気記録媒体であってもよい。
【００９３】
なお、上述した具体的実施形態には以下の構成を有する発明が主に含まれている。
【００９４】
本発明の一局面に係る記録媒体情報アクセスシステムは、情報を記録媒体に記録する、及び／又は記録媒体から情報を再生する情報記録再生装置と、前記記録媒体に設けられた情報記憶装置とを備え、前記情報記憶装置は、前記情報にアクセスするために必要なアクセス情報を記憶する記憶手段を備え、前記情報記録再生装置は、前記記憶手段から前記アクセス情報を読み出す読み出し手段と、前記読み出し手段によって読み出された前記アクセス情報に基づいて、前記情報を前記記録媒体に記録する、及び／又は再生するアクセス手段とを備える。
【００９５】
この構成によれば、情報にアクセスするために必要なアクセス情報が情報記憶装置の記憶手段に記憶されている。そして、情報記録再生装置の読み出し手段によって、記憶手段からアクセス情報が読み出され、アクセス手段によって、読み出されたアクセス情報に基づいて、情報が記録媒体に記録、及び／又は再生される。
【００９６】
したがって、情報にアクセスする場合には、情報にアクセスするために必要なアクセス情報を情報記憶装置から読み出す必要があり、情報記憶装置が無ければ情報にアクセスすることができない。そのため、記録媒体に記録されている情報を複製したとしても、情報記憶装置がなければアクセスすることができないので、記録媒体に記録されている情報の不正な複製を防止することができる。また、従来のような識別文の入力が不要となるので、ユーザの操作性を向上させることができる。
【００９７】
また、上記の記録媒体情報アクセスシステムにおいて、前記アクセス情報は、前記情報にアクセスしたアクセス回数を含み、前記情報記録再生装置は、前記アクセス手段によって情報にアクセスされた場合、前記記憶手段に記憶されているアクセス回数を更新する更新手段をさらに備え、前記アクセス手段は、前記読み出し手段によって読み出された前記アクセス情報に含まれるアクセス回数が所定回数に達した場合、前記情報のアクセスを行わないことが好ましい。
【００９８】
この構成によれば、アクセス手段によって情報にアクセスされた場合、記憶手段に記憶されているアクセス回数が更新される。そして、アクセス回数が所定回数に達した場合、情報のアクセスが行われないので、アクセス回数を制限することができる。
【００９９】
また、上記の記録媒体情報アクセスシステムにおいて、前記情報は、複数のコンテンツデータを含み、前記記憶手段は、前記複数のコンテンツデータの中から特定のコンテンツデータのみにアクセスするために必要なアクセス情報を記憶し、前記読み出し手段は、前記記憶手段から前記アクセス情報を読み出し、前記アクセス手段は、前記読み出し手段によって読み出された前記アクセス情報に基づいて、特定の前記コンテンツデータのみにアクセスすることが好ましい。
【０１００】
この構成によれば、記憶手段には、複数のコンテンツデータの中から特定のコンテンツデータのみにアクセスするために必要なアクセス情報が記憶されており、読み出し手段によって読み出されたアクセス情報に基づいて、特定のコンテンツデータのみがアクセスされる。したがって、１の記録媒体に複数のコンテンツデータが記録されていたとしても、各コンテンツデータに対応するアクセス情報を記憶する情報記憶装置がなければ、コンテンツデータにアクセスすることができないので、複数のコンテンツデータが記録された記録媒体を有するユーザは所望のコンテンツデータにアクセスすることが可能な情報記憶装置のみを入手することで、所望のコンテンツデータにアクセスすることができる。
【０１０１】
また、上記の記録媒体情報アクセスシステムにおいて、前記記憶手段は、規格の異なる複数の記録媒体のそれぞれに割り当てられた識別情報に応じた複数の前記アクセス情報を記憶し、前記情報は、記録媒体に固有の識別情報を含み、前記情報記録再生装置は、記録媒体から前記識別情報を取得する取得手段をさらに備え、前記読み出し手段は、前記取得手段によって取得された前記識別情報に対応するアクセス情報を前記記憶手段から読み出し、前記アクセス手段は、前記読み出し手段によって読み出された前記アクセス情報に基づいて前記情報にアクセスすることが好ましい。
【０１０２】
この構成によれば、記憶手段には、規格の異なる複数の記録媒体のそれぞれに割り当てられた識別情報に応じた複数のアクセス情報が記憶されている。そして、情報記録再生装置の取得手段によって、装着された記録媒体に固有の識別情報が取得され、読み出し手段によって、取得手段により取得された識別情報に対応するアクセス情報が記憶手段から読み出される。続いて、アクセス手段によって、読み出し手段により読み出されたアクセス情報に基づいて情報がアクセスされる。したがって、１つの情報記憶装置を用いて規格の異なる複数の記録媒体に記録された情報にアクセスすることができ、特に、記録媒体の規格が乱立している場合に容易に互換性を保つことができる。
【０１０３】
本発明の他の局面に係る光ディスクは、レーザ光を用いて光記録情報を記録及び／又は再生される光ディスクであって、前記光記録情報が記録される記録部材と、前記記録部材に着脱可能な着脱部材とを備え、前記着脱部材は、前記光記録情報にアクセスするために必要なアクセス情報を記憶する情報記憶装置を備える。
【０１０４】
この構成によれば、レーザ光を用いて光記録情報を記録及び／又は再生される光ディスクは、光記録情報を記録される記録部材と、記録部材に着脱可能な着脱部材とを備えている。そして、着脱部材は、光記録情報にアクセスするために必要なアクセス情報を記憶する情報記憶装置を備えている。
【０１０５】
したがって、光記録情報にアクセスする場合には、光記録情報を記録される記録部材と、光記録情報にアクセスするために必要なアクセス情報を記憶する情報記憶装置を備える着脱部材とが必ず必要であり、この２つが無ければ光記録情報にアクセスすることができない。そのため、記録部材に記録されている光記録情報を複製したとしても、着脱部材がなければアクセスすることができないので、光ディスクに記録されている光記録情報の不正な複製を防止することができる。
【０１０６】
また、上記の光ディスクにおいて、前記着脱部材は、前記光記録情報が記録された記録領域の内周部分から光ディスクの中心に形成された中心孔までの間の領域部分であることが好ましい。
【０１０７】
この構成によれば、着脱部材が、光記録情報が記録された記録領域の内周部分から光ディスクの中心に形成された中心孔までの間の領域部分であるので、この領域部分を記録部材に装着することで光ディスクをバランスよく回転させることができる。
【０１０８】
また、上記の光ディスクにおいて、前記着脱部材は、前記光記録情報が記録された記録領域の内周部分から光ディスクの中心に形成された中心孔までの間の領域部分であり、光ディスクの中心線より一方側の一部分であることが好ましい。
【０１０９】
この構成によれば、着脱部材が、光記録情報が記録された記録領域の内周部分から光ディスクの中心に形成された中心孔までの間の領域部分であり、光ディスクの中心線より一方側の一部分であるので、この領域部分の一部分をクランプ領域に装着することで、記録部材と着脱部材とが摺動することなく光ディスクを回転させることができる。
【０１１０】
また、上記の光ディスクにおいて、前記着脱部材は、前記光ディスクの外周側に取り付けられるアダプタであることが好ましい。この構成によれば、着脱部材が光ディスクの外周側に取り付けられるアダプタであるので、このアダプタを記録部材に装着することで光記録情報にアクセスすることができる。
【０１１１】
また、上記の光ディスクにおいて、前記着脱部材は、前記光ディスクを収納するカートリッジであることが好ましい。この構成によれば、着脱部材が光ディスクを収納するカートリッジであるので、このカートリッジを記録部材に装着することで光記録情報にアクセスすることができる。
【０１１２】
本発明の他の局面に係る記録媒体用アダプタは、情報が記録及び／又は再生される記録媒体に着脱可能な記録媒体用アダプタであって、前記記録媒体に係合するための係合部材と、前記記録媒体にアクセスするために必要なアクセス情報を記憶する情報記憶装置とを備える。
【０１１３】
この構成によれば、係合部材により記録媒体に係合され、記録媒体にアクセスするために必要なアクセス情報が情報記憶装置に記憶されているので、記録媒体から脱落することなく、記録媒体と共に記録媒体用アダプタを駆動させることができる。また、記録媒体にアクセスする場合には、記録媒体にアクセスするために必要なアクセス情報を記憶する情報記憶装置を備える記録媒体用アダプタが必ず必要である。そのため、記録媒体に記録されている情報を複製したとしても、記録媒体用アダプタがなければ記録媒体にアクセスすることができないので、記録媒体に記録されている情報の不正な複製を防止することができる。
【０１１４】
次に、本発明の第３の実施形態における光ディスク情報アクセスシステムについて説明する。図１０は、本発明の第３の実施形態による光ディスク情報アクセスシステムの概略構成を示す図である。
【０１１５】
図１０に示す光ディスク情報アクセスシステムは、情報記録再生装置２、ＲＦＩＤタグ３、アンテナ４及びモニタ５を備えて構成される。ＲＦＩＤタグ３は、光ディスクＯＤの記録面４１側に透明の粘着シール６で貼り付けられている。ユーザは、光ディスクＯＤの記録面４１側の任意の位置にＲＦＩＤタグ３を貼り付ける。情報記録再生装置２とＲＦＩＤタグ３とは、無線方式により互いに通信可能に接続されている。アンテナ４は、放送局から伝送される電波を受信して番組等のコンテンツデータを情報記録再生装置２へ出力する。なお、本明細書では、コンテンツデータを適宜「コンテンツ」と簡略して表現する。レーザ光を用いて光記録情報を記録及び／又は再生する情報記録再生装置（例えば、ＤＶＤレコーダー）２は、アンテナ４を介して受信したコンテンツデータを可換記録媒体又は固定記録媒体に録画する。モニタ５は、情報記録再生装置２により再生されるコンテンツを表示してユーザに提示する。
【０１１６】
ここで、本発明の第３の実施形態に係る光ディスクＯＤについて説明する。図１１は、本発明の第３の実施形態に係る光ディスクについて説明するための図である。図１１に示すように、光ディスクＯＤの記録面４１には、ＲＦＩＤタグ３が粘着シール６により貼り付けられる。光ディスクＯＤは、番組、映画及び音楽などのコンテンツデータ（光記録情報）を記録する光記録情報領域（図１１の斜線部分）を有しており、ＲＦＩＤタグ３は、この光記録情報領域内に貼り付けられる。
【０１１７】
なお、本実施形態では、透明の粘着シール６によりＲＦＩＤタグ３を光ディスクＯＤに貼り付けているが、本発明は特にこれに限定されず、不透明の粘着シール６によりＲＦＩＤタグ３を光ディスクＯＤに貼り付けてもよい。
【０１１８】
また、本実施形態における光ディスクＯＤとして、例えば、ＤＶＤ−ＲＡＭ、ＤＶＤ−Ｒ、ＣＤ−ＲＷ、ＣＤ−Ｒ、ＰＤ（Phase change rewritable Disk）、Blu-ray Disk（ブルーレイディスク）等の記録用の光ディスクや、例えば、ＤＶＤ−ＲＯＭ、ＣＤ−ＲＯＭ等の再生用の光ディスクが用いられる。
【０１１９】
次に、第３の実施形態における情報記録再生装置２及びＲＦＩＤタグ３の内部構成について説明する。図１２は、第３の実施形態における情報記録再生装置２の位置検出及びアクセス認証に関係する内部構成を示す図である。なお、ＲＦＩＤタグ３の内部構成は、図３に示すＲＦＩＤタグ３と同じであるので、図３を用いて説明する。
【０１２０】
情報記録再生装置２は、光ヘッド１５１、トラバース制御部１５２、トラバース駆動部１５３、信号生成部１５４、位置検出部１５５、アクセス認証部１６１及び通信部２２を備える。なお、トラバース制御部１５２、位置検出部１５５及びアクセス認証部１６１は、図２に示す制御部２０が備え、光ヘッド１５１、トラバース駆動部１５３及び信号生成部１５４は、図２に示す可換記録媒体記録部１５が備える。図１２に示す情報記録再生装置２の他の構成は、図２に示す情報記録再生装置２の構成と同じである。
【０１２１】
位置検出部１５５は、光ディスクＯＤの記録面４１の光記録情報領域（図１０に示す斜線部）に貼り付けられたＲＦＩＤタグ３の位置を検出する。そして、位置検出部１５５は、検出したＲＦＩＤタグ３の位置情報を通信部２２へ出力する。通信部２２は、位置情報をＲＦＩＤタグ３へ送信する。
【０１２２】
また、通信部２２は、ＲＦＩＤタグ３によって送信された位置情報を受信し、アクセス認証部１６１へ出力する。位置検出部１５５は、光ディスクＯＤにおけるＲＦＩＤタグ３の位置を検出し、検出した位置情報をアクセス認証部１６１へ出力する。アクセス認証部１６１は、検出した位置が、通信部２２によって受信された位置情報に一致するか否かを判断する。検出した位置が、通信部によって受信された位置情報に一致すると判断された場合、アクセス認証部１６１は、光ディスクＯＤへのアクセスを許可する。
【０１２３】
ここで、アクセス認証部１６１の具体的な構成を説明する。図１３は、アクセス認証部１６１の具体的な構成を示すブロック図である。図１３に示すアクセス認証部１６１は、検出位置入力部１６１１、位置情報入力部１６１２、判断部１６１３及びアクセス許可部１６１４を備える。
【０１２４】
検出位置入力部１６１１には、位置検出部１５５によって検出されたＲＦＩＤタグ３の検出位置が入力される。位置情報入力部１６１２には、通信部２２によって受信された位置情報が入力される。判断部１６１３は、検出位置入力部１６１１に入力された検出位置が、位置情報入力部１６１２に入力された位置情報と一致するか否かを判断する。
【０１２５】
アクセス許可部１６１４は、判断部１６１３によって検出位置が位置情報と一致すると判断された場合、光ディスクＯＤへのアクセスを許可する。アクセス許可部１６１４は、アクセスを許可する場合、アクセス許可信号を再生部１８又は記録部１３へ出力する。再生部１８は、アクセス許可信号が入力されると、光ディスクＯＤから情報の再生を開始する。また、記録部１３は、アクセス許可信号が入力されると、光ディスクＯＤへの情報の記録を開始する。
【０１２６】
ＲＦＩＤタグ３の通信部３０４は、情報記録再生装置２によって送信された位置情報を受信して制御部３０１へ出力する。そして、制御部３０１は、受信した位置情報をＲＷＭ３０３に記憶する。また、制御部３０１は、ＲＷＭ３０３に記憶されている位置情報を読み出し、通信部３０４へ出力する。通信部３０４は、位置情報を情報記録再生装置２へ送信する。
【０１２７】
なお、本実施形態において、光ディスクＯＤが記録媒体の一例に相当し、ＲＦＩＤタグ３が情報記憶装置の一例に相当し、制御部２０が位置検出手段の一例に相当し、制御部２０及び通信部２２が位置情報書込手段の一例に相当し、情報記録再生装置２が位置検出装置の一例に相当し、位置検出部１５５がアドレス検出手段の一例に相当し、情報記録再生装置２がアクセス認証装置の一例に相当し、制御部２０及び通信部２２が位置情報読出手段の一例に相当し、制御部２０及び通信部２２が位置情報取得手段の一例に相当し、ＲＷＭ３０３が位置情報記憶手段の一例に相当する。
【０１２８】
また、位置検出部１５５が位置検出制御装置の一例に相当し、アクセス認証部１６１がアクセス認証制御装置の一例に相当し、検出位置入力部１６１１が検出位置入力手段の一例に相当し、位置情報入力部１６１２が位置情報入力手段の一例に相当し、判断部１６１３が判断手段の一例に相当し、アクセス許可部１６１４がアクセス許可手段の一例に相当する。
【０１２９】
次に、第３の実施形態におけるＲＦＩＤタグ３の位置検出処理について説明する。図１２に示すように、光ディスクＯＤの記録面４１側に光ヘッド１５１からのレーザ光が照射される。光ヘッド１５１は、光ディスクＯＤへ情報を記録するとともに、光ディスクＯＤからの情報を再生するためのものである。光ヘッド１５１は、トラバース駆動部１５３により、全体が光ディスクＯＤのトラックの方向に対して垂直な方向（矢印Ｙ１）に移動される。トラバース駆動部１５３は、トラバース制御部１５２から出力される制御信号に基づいて光ヘッド１５１を移動させる。また、図示を省略しているが、光ヘッド１５１は、半導体レーザなどの光源、カップリングレンズ、偏光ビームスプリッタ、偏光板、収束レンズ、集光レンズ、分割ミラー及びフォトディテクタ等から構成されている。
【０１３０】
光ディスクＯＤに記録されている光情報はアドレスにより管理されている。そのため、光ディスクＯＤを再生し、光ディスクＯＤからデータを読み出すことができない領域のアドレスを検出することにより、ＲＦＩＤタグ３が貼り付けられている光ディスクＯＤ上の位置を特定することができる。信号生成部１５４は、光ヘッド１５１の光源から出射されて光ディスクＯＤで反射された反射光に基づいて、再生信号を生成する。位置検出部１５５は、光ディスクＯＤからデータを読み出すことができない領域のアドレスをＲＦＩＤタグ３の位置情報として検出する。
【０１３１】
図１４は、ＲＦＩＤタグに位置情報を記憶する処理について説明するためのフローチャートである。
【０１３２】
まず、ユーザが情報記録再生装置２の操作部２１の所定の入力キーを用いてＲＦＩＤタグ３の位置情報更新指示を入力すると、ステップＳ５１において、情報記録再生装置２の制御部２０は、操作部２１を介してユーザからの位置情報更新指示を受け付ける。
【０１３３】
ステップＳ５２，Ｓ５３，Ｓ６１，Ｓ６２の処理は、図５に示すステップＳ２，Ｓ３，Ｓ１１，Ｓ１２の処理と同じであるので説明を省略する。
【０１３４】
次に、ステップＳ５４において、制御部２０は、通信部２２に位置情報更新要求を送信するように指示し、通信部２２は、位置情報更新要求をＲＦＩＤタグ３へ送信する。
【０１３５】
次に、ステップＳ６３において、ＲＦＩＤタグ３の通信部３０４は、位置情報更新要求を受信して制御部３０１へ出力する。
【０１３６】
次に、ステップＳ６４において、制御部３０１は、位置情報の更新が可能であるか否かを判断する。本実施形態では、位置情報を書き換えることを禁止している。すなわち、一度位置情報が記憶されたら、当該位置情報を書き換えることができない。したがって、制御部３０１は、ＲＷＭ３０３に位置情報が記憶されていない場合、位置情報の更新が可能であると判断し、ＲＷＭ３０３に既に位置情報が記憶されている場合、位置情報の更新ができないと判断する。
【０１３７】
位置情報の更新ができないと判断された場合（ステップＳ６４でＮＯ）、ステップＳ６８において、制御部３０１は、位置情報の更新ができないことを表す更新不可情報を送信するように通信部３０４に指示し、通信部３０４は、更新不可情報を情報記録再生装置２へ送信する。
【０１３８】
次に、ステップＳ５８において、情報記録再生装置２の通信部２２は、更新不可情報を受信して制御部２０へ出力する。次に、ステップＳ５９において、制御部２０は、ＲＦＩＤタグ３に記憶されている位置情報を更新することができない旨を報知する位置情報更新不可画面をモニタ５に表示させる。
【０１３９】
一方、位置情報の更新が可能であると判断された場合（ステップＳ６４でＹＥＳ）、ステップＳ６５において、制御部３０１は、位置情報の更新が可能であることを表す更新許可情報を送信するように通信部３０４に指示し、通信部３０４は、更新許可情報を情報記録再生装置２へ送信する。
【０１４０】
次に、ステップＳ５５において、情報記録再生装置２の通信部２２は、更新許可情報を受信して制御部２０へ出力する。次に、ステップＳ５６において、制御部２０は、ＲＦＩＤタグ３が貼り付けられている光ディスク上の位置を検出する。ＲＦＩＤタグ３が貼り付けられている位置に対応するデータは読み出すことができない。そのため、データを読み出すことができない領域のアドレスを検出することにより、ＲＦＩＤタグ３が貼り付けられている位置を検出することができる。制御部２０は、光ディスクを再生し、再生することができないデータのアドレスをＲＦＩＤタグ３の位置情報として検出する。
【０１４１】
なお、ＲＦＩＤタグ３の大きさは、半径方向に長く、トラック方向にはＥＣＣエラーが発生しない程度の長さ、例えば１〜２ｍｍ程度であることが好ましい。また、ＲＦＩＤタグ３の表面の反射率は、ＢＤＯ信号を検出することが可能な反射率であることが好ましい。
【０１４２】
次に、ステップＳ５７において、制御部２０は、通信部２２に位置情報を送信するように指示し、通信部２２は、位置情報をＲＦＩＤタグ３へ送信する。
【０１４３】
次に、ステップＳ６６において、ＲＦＩＤタグ３の通信部３０４は、位置情報を受信して制御部３０１へ出力する。制御部３０１は、通信部３０４によって受信された位置情報をＲＷＭ３０３に記憶する。
【０１４４】
このように、光ディスクＯＤに設けられたＲＦＩＤタグ３の光ディスクＯＤ上における位置が検出され、検出されたＲＦＩＤタグ３の光ディスクＯＤ上における位置が位置情報としてＲＦＩＤタグ３に書き込まれる。
【０１４５】
したがって、光ディスクＯＤに設けられたＲＦＩＤタグ３の光ディスクＯＤ上における位置が検出され、検出されたＲＦＩＤタグ３の光ディスクＯＤ上における位置が位置情報としてＲＦＩＤタグ３に書き込まれるので、この位置情報を光ディスクＯＤへのアクセス認証に用いることにより、光ディスクＯＤに記録されている情報の不正な複製を防止することができる。例えば、光ディスクＯＤに設けられたＲＦＩＤタグ３を取り外し、当該光ディスクＯＤに記録された情報を複製した他の光ディスクに貼り付けたとしても、貼り付けた位置とＲＦＩＤタグ３に記憶されている位置情報とが一致しない限り、光ディスクにアクセスすることはできず、光ディスクＯＤに記録されている情報の不正な複製を防止することができる。
【０１４６】
また、光ディスクＯＤは、光ヘッド１５１から照射されるレーザ光を用いて光記録情報を記録及び／又は再生され、ＲＦＩＤタグ３は、レーザ光が入射する光ディスクＯＤの記録面４１に貼り付けられる。そして、光ディスクＯＤが再生され、再生することができないアドレスが検出される。
【０１４７】
したがって、ＲＦＩＤタグ３は、レーザ光が入射する光ディスクＯＤの記録面４１に貼り付けられているので、光ディスクＯＤを再生したときに、再生することができない領域のアドレスを検出することにより、ＲＦＩＤタグ３が貼り付けられている位置を検出することができる。
【０１４８】
さらに、光ディスクＯＤに貼り付けられたＲＦＩＤタグ３の光ディスクＯＤ上の位置を検出する位置検出装置（情報記録再生装置２）によって検出された位置情報が情報記録再生装置２から取得され、取得された位置情報が記憶される。
【０１４９】
したがって、光ディスクＯＤに設けられたＲＦＩＤタグ３の光ディスクＯＤ上における位置が位置情報としてＲＦＩＤタグ３に記憶されるので、この位置情報を光ディスクＯＤへのアクセス認証に用いることにより、光ディスクＯＤに記録されている情報の不正な複製を防止することができる。例えば、光ディスクＯＤに設けられたＲＦＩＤタグ３を取り外し、当該光ディスクＯＤに記録された情報を複製した他の光ディスクに貼り付けたとしても、貼り付けた位置とＲＦＩＤタグ３に記憶されている位置情報とが一致しない限り、光ディスクにアクセスすることはできず、光ディスクＯＤに記録されている情報の不正な複製を防止することができる。
【０１５０】
次に、ＲＦＩＤタグ３が設けられた光ディスクへのアクセスを認証する処理について説明する。図１５は、ＲＦＩＤタグ３が設けられた光ディスクへのアクセスを認証する処理について説明するためのフローチャートである。以下の説明では、ＲＦＩＤタグ３に位置情報が既に記憶されているものとする。
【０１５１】
なお、ステップＳ７１〜Ｓ７３，Ｓ９１，Ｓ９２の処理は、図５に示すステップＳ１〜Ｓ３，Ｓ１１，Ｓ１２の処理と同じであるので説明を省略する。
【０１５２】
次に、ステップＳ７４において、情報記録再生装置２の制御部２０は、位置情報の送信を要求するための位置情報送信要求を送信するように通信部２２に指示し、通信部２２は、位置情報送信要求をＲＦＩＤタグ３へ送信する。
【０１５３】
次に、ステップＳ９３において、ＲＦＩＤタグ３の通信部３０４は、位置情報送信要求を受信して制御部３０１へ出力する。次に、ステップＳ９４において、制御部３０１は、ＲＷＭ３０３に記憶されている位置情報を読み出す。次に、ステップＳ９５において、制御部３０１は、読み出した位置情報を通信部３０４へ出力し、通信部３０４は、位置情報を情報記録再生装置２へ送信する。
【０１５４】
次に、ステップＳ７５において、情報記録再生装置２の通信部２２は、位置情報を受信して制御部２０へ出力する。次に、ステップＳ７６において、制御部２０は、ＲＦＩＤタグ３が貼り付けられている光ディスク上の位置を検出する。なお、ＲＦＩＤタグ３が貼り付けられている位置の検出については、図１４のステップＳ５６の処理と同じであるので説明を省略する。
【０１５５】
次に、ステップＳ７７において、制御部２０は、検出したＲＦＩＤタグ３の位置が、ＲＦＩＤタグ３から受信した位置情報と一致するか否かを判断する。ここで、検出したＲＦＩＤタグ３の位置が、ＲＦＩＤタグ３から受信した位置情報と一致しないと判断された場合（ステップＳ７７でＮＯ）、ステップＳ８０において、制御部２０は、光ディスクＯＤに記録されているコンテンツを再生することができない旨を報知するコンテンツ再生不可画面をモニタ５に表示させる。つまり、検出したＲＦＩＤタグ３の位置が、ＲＦＩＤタグ３から受信した位置情報と一致しない場合、ＲＦＩＤタグ３が剥がされ、光記録情報が別の光ディスクに不正にコピーされた後、当該別の光ディスクにＲＦＩＤタグ３が貼り付けられた可能性がある。そこで、本実施形態では、検出したＲＦＩＤタグ３の位置が、ＲＦＩＤタグ３から受信した位置情報と一致しない場合、コンテンツを再生しないようにすることで、コンテンツの不正コピーを防止することができる。
【０１５６】
一方、検出したＲＦＩＤタグ３の位置が、ＲＦＩＤタグ３から受信した位置情報と一致すると判断された場合（ステップＳ７７でＹＥＳ）、ステップＳ７８において、制御部２０は、光ディスクＯＤへのアクセスを許可する。次に、ステップＳ７９において、制御部２０は、記録及び再生インターフェース部１４と再生部１８とを制御し、光ディスクＯＤに記録されたコンテンツを再生する。
【０１５７】
このように、ＲＦＩＤタグ３には、ＲＦＩＤタグ３が配置されている光ディスクＯＤ上の位置を表す位置情報が記憶されており、ＲＦＩＤタグ３が配置されている光ディスクＯＤ上の位置が検出され、ＲＦＩＤタグ３から位置情報が読み出される。そして、検出された位置が、読み出された位置情報と一致するか否かが判断され、検出された位置が読み出された位置情報と一致すると判断された場合、光ディスクＯＤへのアクセスが許可される。
【０１５８】
したがって、検出された位置が読み出された位置情報と一致しないと判断された場合、光ディスクＯＤへのアクセスが許可されないので、例えば、光ディスクＯＤに設けられたＲＦＩＤタグ３を取り外し、当該光ディスクＯＤに記録された情報を複製した他の光ディスクに貼り付けたとしても、貼り付けた位置が一致しない限り、光ディスクにアクセスすることはできず、光ディスクＯＤに記録されている情報の不正な複製を防止することができる。
【０１５９】
なお、本実施形態では、光ディスクＯＤにアクセスする一例として、コンテンツを光ディスクＯＤから再生する場合について説明しているが、本発明は特にこれに限定されず、コンテンツなどの情報を光ディスクＯＤに記録する場合、コンテンツなどの情報を光ディスクＯＤにコピーする場合、又はコンテンツなどの情報を光ディスクＯＤにムーブする場合にも適用可能である。
【０１６０】
また、本実施形態では、ＲＦＩＤタグ３を光ディスクＯＤの記録面４１に貼り付けているが、本発明は特にこれに限定されず、ＲＦＩＤタグ３を光ディスクＯＤの記録面４１に対向するレーベル面に貼り付けてもよい。この場合の位置検出処理について以下に説明する。
【０１６１】
図１６は、第３の実施形態の第１の変形例に係る光ディスクについて説明するための図である。図１６に示すように、光ディスクＯＤの記録面とは反対側のレーベル面４２には、ＲＦＩＤタグ３が粘着シール６により貼り付けられる。ユーザは、光ディスクＯＤのレーベル面４２側の任意の位置にＲＦＩＤタグ３を貼り付ける。
【０１６２】
次に、第３の実施形態の第１の変形例におけるＲＦＩＤタグ３の位置検出処理について説明する。図１７は、第３の実施形態の第１の変形例におけるＲＦＩＤタグ３の位置検出処理について説明するための図であり、図１７（ａ）は、光ディスクＯＤのレーベル面にレーザ光を照射する場合の位置検出処理について説明するための図であり、図１７（ｂ）は、光ディスクＯＤの記録面にレーザ光を照射する場合の位置検出処理について説明するための図である。
【０１６３】
まず、ユーザは、光ヘッド１５１によるレーザ光がレーベル面４２に照射されるように、レーベル面４２を下側にして光ディスクＯＤを挿入する。図１７（ａ）に示すように、光ディスクＯＤのレーベル面４２側に光ヘッド１５１からのレーザ光が照射される。光ヘッド１５１は、トラバース駆動部１５３により、全体が光ディスクＯＤのトラックの方向に対して垂直な方向（矢印Ｙ１）に移動される。トラバース駆動部１５３は、トラバース制御部１５２から出力される制御信号に基づいて光ヘッド１５１を移動させる。また、図示を省略しているが、光ヘッド１５１は、半導体レーザなどの光源、カップリングレンズ、偏光ビームスプリッタ、偏光板、収束レンズ、集光レンズ、分割ミラー及びフォトディテクタ等から構成されている。
【０１６４】
信号生成部１５４は、光ヘッド１５１の光源から出射されて光ディスクＯＤで反射された反射光に基づいて、再生信号を生成するとともに、出射光から分岐された分岐光に基づいてフォーカスエラー信号を生成する。信号生成部１５４は、生成したフォーカスエラー信号をフォーカス制御部１５６へ出力する。フォーカス制御部１５６は、フォーカスエラー信号に基づいて、フォーカス誤差を補償するようにフォーカス駆動部１５７を制御する。フォーカス駆動部１５７は、光ヘッド１５１の集光レンズ等を光軸方向へ移動させ、フォーカス位置を調節する。
【０１６５】
光ディスクＯＤのレーベル面４２にレーザ光を照射した場合、フォーカス位置は常に一定となる。しかしながら、ＲＦＩＤタグ３が貼り付けられている部分は、ＲＦＩＤタグ３の厚みの分だけフォーカス位置がずれる。そのため、ＲＦＩＤタグ３が貼り付けられている部分にレーザ光を照射した場合、信号生成部１５４はフォーカスエラー信号を生成する。フォーカス制御部１５６は、フォーカスエラー信号が入力された場合、当該フォーカスエラー信号をトラバース制御部１５２へ出力する。トラバース制御部１５２は、フォーカスエラー信号が入力されたときのトラバース位置をトラバース位置記憶部１５８に記憶する。
【０１６６】
次に、ユーザは、光ヘッド１５１によるレーザ光が記録面４１に照射されるように、記録面４１を下側にして光ディスクＯＤを挿入する。図１７（ｂ）に示すように、光ディスクＯＤの記録面４１側に光ヘッド１５１からのレーザ光が照射される。トラバース制御部１５２は、トラバース位置記憶部１５８に記憶されているトラバース位置に光ヘッド１５１を移動させるようトラバース駆動部１５３を制御する。トラバース位置記憶部１５８に記憶されているトラバース位置に光ヘッド１５１が移動されると、信号生成部１５４は、光ヘッド１５１の光源から出射されて光ディスクＯＤで反射された反射光に基づいて、再生信号を生成する。位置検出部１５５は、再生信号に基づいて、トラバース位置に対応するトラック位置をＲＦＩＤタグ３の位置情報として検出する。
【０１６７】
なお、この例では、光ヘッド１５１が光ディスクＯＤの径方向にしか移動しないため、位置情報として光ディスクＯＤ上のトラック位置しか検出することができず、ＲＦＩＤタグ３の１次元位置しか検出することができないが、同一トラック上に基準となるマークがあればＲＦＩＤタグ３の２次元位置を検出することができる。
【０１６８】
また、本実施形態において、信号生成部１５４がフォーカスエラー信号検出手段の一例に相当し、トラバース位置記憶部１５８がトラバース位置記憶手段の一例に相当し、位置検出部１５５がトラック位置検出手段の一例に相当する。
【０１６９】
このように、光ディスクＯＤは、光ヘッド１５１から照射されるレーザ光を用いて光記録情報を記録及び／又は再生し、ＲＦＩＤタグ３は、レーザ光が入射する光ディスクＯＤの記録面に対向するレーベル面４２に貼り付けられる。そして、レーベル面４２からレーザ光を照射し、フォーカスエラー信号が検出され、検出されたフォーカスエラー信号が他と異なる位置がトラバース位置として記憶される。その後、記録面４１からレーザ光を照射し、記憶されているトラバース位置に光ヘッド１５１を移動させ、当該トラバース位置におけるトラック位置が検出される。
【０１７０】
したがって、ＲＦＩＤタグ３が貼り付けられているレーベル面４２にレーザ光を照射した場合、ＲＦＩＤタグ３の分だけフォーカス位置がずれ、フォーカスエラー信号が検出されることとなる。そのため、フォーカスエラー信号が検出されたときのトラバース位置を記憶しておき、記録面４１にレーザ光を照射し、記憶しておいたトラバース位置まで光ヘッド１５１を移動させ、光ディスクＯＤのトラック位置を検出することにより、ＲＦＩＤタグ３が貼り付けられている位置を検出することができる。
【０１７１】
なお、上記の第３の実施形態の第１の変形例では、レーベル面４２にレーザ光を照射して光ヘッド１５１のトラバース位置を記憶した後、光ディスクＯＤを取り出し、記録面４１にレーザ光を照射してＲＦＩＤタグ３の位置情報を検出しているが、本発明は特にこれに限定されない。
【０１７２】
図１８は、第３の実施形態の第２の変形例におけるＲＦＩＤタグ３の位置検出処理について説明するための図である。図１８に示すように、情報記録再生装置２の光ヘッド１５１には通信部２２が設けられている。通信部２２は、光ヘッド１５１と一体となって移動する。ＲＦＩＤタグ３の通信部３０４は、所定の電波を出力する。通信部２２は、ＲＦＩＤタグ３の通信部３０４によって出力された電波を受信し、位置検出部１５５へ出力する。位置検出部１５５は、受信した電波の強度を測定する。トラバース制御部１５２は、トラバース駆動部１５３を制御し、光ヘッド１５１を光ディスクＯＤのトラックの方向に対して垂直な方向（矢印Ｙ１）に移動させる。
【０１７３】
第３の実施形態の第２の変形例では、光ヘッド１５１を移動させ、再生信号を読み取りながら、ＲＦＩＤタグ３から出力される電波の強度を測定する。そして、位置検出部１５５は、電波強度が最大となる場合の光ディスクＯＤ上のアドレスをＲＦＩＤタグ３の位置情報として検出する。
【０１７４】
なお、本実施形態において、通信部２２が受信手段の一例に相当し、位置検出部１５５がアドレス検出手段の一例に相当する。
【０１７５】
このように、光ディスクＯＤは、光ヘッド１５１から照射されるレーザ光を用いて光記録情報を記録及び／又は再生される。また、ＲＦＩＤタグ３は、レーザ光が入射する光ディスクＯＤの記録面４１に対向するレーベル面４２に貼り付けられる。さらに、ＲＦＩＤタグ３から所定の電波が送信され、光ヘッド１５１に設けられた通信部２２により、ＲＦＩＤタグ３によって送信される電波が受信される。そして、光ヘッド１５１が移動され、通信部２２によって受信される電波の強度が最大となる位置のアドレスが検出される。
【０１７６】
したがって、光ヘッド１５１を移動させながら、ＲＦＩＤタグ３から送信される電波を受信し、当該電波の強度が最大となる位置の光ディスクＯＤのアドレスを検出することにより、ＲＦＩＤタグ３が貼り付けられている位置を検出することができる。
【０１７７】
次に、第３の実施形態の第３の変形例について説明する。第３の実施形態の第３の変形例では、ＲＦＩＤタグ３にフォトダイオードを設け、フォトダイオードにより光ヘッドからの光が検知された場合に、電波を出力する。そして、情報記録再生装置２は、ＲＦＩＤタグ３によって出力された電波を受信したときの光ディスクＯＤ上のアドレスを位置情報として検出する。
【０１７８】
図１９は、第３の実施形態の第３の変形例におけるＲＦＩＤタグ３の構成を示す図である。図１９に示すように、ＲＦＩＤタグ３は、フォトダイオード３０５をさらに備える。記録面４１に入射したレーザ光は、光ディスクＯＤ内を透過し、レーベル面４２に到達する。フォトダイオード３０５は、光ディスクＯＤのレーベル面４２に接して設けられ、記録面４１に照射されたレーザ光が光ディスクＯＤを透過した透過光を受光する。フォトダイオード３０５は、照度に応じた光電流を発生する光電変換半導体素子である。フォトダイオード３０５は、レーザ光を検知すると、制御部３０１へ電気信号（電流）を出力する。制御部３０１は、フォトダイオード３０５からの電気信号が入力されると、レーザ光を検知したことを通知するための光検知通知を送信するように通信部３０４に指示し、通信部３０４は、光検知通知を情報記録再生装置２へ送信する。
【０１７９】
図２０は、第３の実施形態の第３の変形例におけるＲＦＩＤタグの位置検出処理について説明するための図である。図２０に示すように、トラバース制御部１５２は、トラバース駆動部１５３を制御し、光ヘッド１５１を光ディスクＯＤのトラックの方向に対して垂直な方向（矢印Ｙ１）に移動させる。このとき、信号生成部１５４は、再生信号を生成し、位置検出部１５５へ出力する。通信部２２は、ＲＦＩＤタグ３によって送信された光検知通知を受信し、位置検出部１５５へ出力する。位置検出部１５５は、光検知通知が入力されたときの光ディスクＯＤ上のアドレスを位置情報として検出する。
【０１８０】
なお、本実施形態において、通信部２２が受信手段の一例に相当し、位置検出部１５５がアドレス検出手段の一例に相当する。
【０１８１】
また、本実施形態におけるＲＦＩＤタグ３は、光ヘッド１５１から照射されるレーザ光がフォトダイオード３０５によって検知された場合に電波を出力しているが、本発明は特にこれに限定されず、レーザ光が光ディスクＯＤに照射されることによって発生する熱を検知する熱検知素子をＲＦＩＤタグ３に設け、当該熱検知素子によって熱が検知された場合に電波を出力してもよい。
【０１８２】
このように、光ディスクＯＤは、光ヘッド１５１から照射されるレーザ光を用いて光記録情報を記録及び／又は再生される。また、ＲＦＩＤタグ３は、レーザ光が入射する光ディスクＯＤの記録面４１に対向するレーベル面４２に貼り付けられる。さらに、レーザ光の受光に応じてＲＦＩＤタグ３から電波が送信され、通信部２２によって、ＲＦＩＤタグ３から送信される電波が受信される。そして、光ヘッド１５１が移動され、通信部２２によって電波が受信されたときのアドレスが検出される。
【０１８３】
したがって、ＲＦＩＤタグ３は、レーザ光の受光に応じて電波を送信するので、光ヘッド１５１を移動させながら、ＲＦＩＤタグ３から送信される電波が受信されたときの光ディスクＯＤのアドレスを検出することにより、ＲＦＩＤタグ３が貼り付けられている位置を検出することができる。
【０１８４】
上記の第３の実施形態及び第１〜第３の変形例は、光ディスクＯＤの記録面又はレーベル面にＲＦＩＤタグ３を貼り付ける構成であるが、本発明は特にこれに限定されず、光ディスクＯＤの製造段階で予めＲＦＩＤタグ３を埋め込む構成であってもよい。
【０１８５】
図２１は、光ディスクＯＤの構造の概略を示す半径方向の断面図である。図２１に示すように、光ディスクＯＤは、基板５１に記録層５２が積層され、記録層５２にカバー層５３が積層される。まず、例えばポリカーボネイトなどの基板５１に相変化型の光記録材料がスパッタリング法などにより塗布され、記録層５２が形成される。そして、記録層５２の上面にスピンコート法などにより樹脂が塗布され、カバー層５３が形成される。このとき、記録層５２の上面にＲＦＩＤタグ３が配置され、カバー層５３が形成される。このようにして、光ディスクＯＤ内にＲＦＩＤタグ３が埋め込まれることとなる。
【０１８６】
光ディスクを製造する光ディスク製造装置は、上記の位置検出処理を可能とする構成を備えており、上記と同様の位置検出処理により、ＲＦＩＤタグ３が埋め込まれた位置を検出する。そして、検出した位置情報がＲＦＩＤタグ３に記憶される。
【０１８７】
このように、ＲＦＩＤタグ３が予め決められた位置に埋め込まれており、ＲＦＩＤタグ３には、ＲＦＩＤタグ３の光ディスクＯＤ上の位置情報が予め記憶されているので、この位置情報を光ディスクＯＤへのアクセス認証に用いることにより、光ディスクＯＤに記録されている情報の不正な複製を防止することができる。例えば、ＲＦＩＤタグ３が埋め込まれた光ディスクＯＤに記録された情報を複製し、当該複製した光ディスクにアクセスする場合、ＲＦＩＤタグ３が埋め込まれていないため、光ディスクにアクセスすることはできず、光ディスクＯＤに記録されている情報の不正な複製を防止することができる。
【０１８８】
なお、図２１の例では、記録層が１層の場合の光ディスクを示しているが、本発明は特にこれに限定されず、情報の記録・再生が可能な複数の記録層が形成された光ディスクにも適用可能である。
【０１８９】
図２２は、光ディスクＯＤの他の構造の概略を示す半径方向の断面図である。図２２に示すように、光ディスクＯＤは、基板６１に第１の記録層６２が積層され、第１の記録層６２に中間層６３が積層され、中間層６３に第２の記録層６４が積層され、第２の記録層６４にカバー層６５が積層される。第１の記録層６２は、ＣＤの規格に応じた情報の記録・再生が可能な記録層であり、第２の記録層６４は、ＤＶＤの規格に応じた情報の記録・再生が可能な記録層である。
【０１９０】
まず、例えばポリカーボネイトなどの基板６１に相変化型の光記録材料がスパッタリング法などにより塗布され、第１の記録層６２が形成される。そして、第１の記録層６２の上面にスピンコート法などにより樹脂が塗布され、中間層６３が形成される。このとき、第１の記録層６２の上面にＲＦＩＤタグ３が配置され、中間層６３が形成される。次に、中間層６３に相変化型の光記録材料がスパッタリング法などにより塗布され、第２の記録層６４が形成される。そして、第２の記録層６４の上面にスピンコート法などにより樹脂が塗布され、カバー層６５が形成される。このようにして、光ディスクＯＤ内にＲＦＩＤタグ３が埋め込まれることとなる。
【０１９１】
光ディスクを製造する光ディスク製造装置は、上記の位置検出処理を可能とする構成を備えており、上記と同様の位置検出処理により、ＲＦＩＤタグ３が埋め込まれた位置を検出する。そして、検出した位置情報がＲＦＩＤタグ３に記憶される。このときの位置情報は、第１の記録層６２におけるアドレスが検出される。第２の記録層６４に記録された情報にアクセスする場合、ＲＦＩＤタグ３に記憶されている位置情報と、第１の記録層６２上におけるＲＦＩＤタグ３の位置情報とが一致するか否かが判断される。ここで、位置情報が一致する場合、第２の記録層６４に記録された情報へのアクセスが許可される。
【０１９２】
なお、本実施形態では、光ディスクＯＤは、光記録情報を記録及び／又は再生するためのレーザ光の波長に応じた複数の記録層を有しているが、本発明は特にこれに限定されず、光ディスクＯＤは、同一波長のレーザ光が照射される複数の記録層を有していてもよい。例えば、複数の記録層を有するＤＶＤ等において、ＲＦＩＤタグ３が、複数の記録層のうちの１の記録層に配置され、ＲＦＩＤタグ３が記憶する位置情報を他の記録層へのアクセス認証に用いる。
【０１９３】
このように、複数の記録層を有しており、ＲＦＩＤタグ３は、複数の記録層のうちの１の記録層に配置されるので、この位置情報を他の記録層へのアクセス認証に用いることにより、光ディスクＯＤに記録されている情報の不正な複製を防止することができる。例えば、ＲＦＩＤタグ３が複数の記録層のうちの１の記録層に埋め込まれた光ディスクＯＤに記録された情報を複製し、当該複製した光ディスクの他の記録層にアクセスする場合、１の記録層にＲＦＩＤタグ３が埋め込まれていないため、複製した光ディスクの他の記録層にアクセスすることはできず、光ディスクＯＤに記録されている情報の不正な複製を防止することができる。
【０１９４】
次に、第３の実施形態における位置検出処理及びアクセス認証処理を用いた具体的な実施例について説明する。ＣＤやＤＶＤをレンタルするレンタル店において、まず、従業員は、会員がレンタルを所望するＤＶＤの任意の位置にＲＦＩＤタグ３を貼り付ける。
【０１９５】
そして、従業員は、ＲＦＩＤタグ３の貼り付け位置を検出するとともにＲＦＩＤタグ３が貼り付けられた位置情報をＲＦＩＤタグ３に記憶する専用の書込装置に、ＲＦＩＤタグ３が貼り付けられたＤＶＤを挿入する。なお、この書込装置は、図２及び図１２に示す情報記録再生装置２の構成と同じであり、特に、位置検出処理に不要な構成は省略されている。すなわち、例えば、図２において、アンテナ４、チューナ１１、デコーダ１２及び記録部１３等が省略されている。
【０１９６】
次に、書込装置は、上記の位置検出処理により、ＲＦＩＤタグ３が貼り付けられている位置を検出し、当該位置を位置情報としてＲＦＩＤタグ３に記憶する。さらに、書込装置は、返却する予定日時を表す返却予定日時情報、及び会員の個人情報などをＲＦＩＤタグ３に記憶する。このようにして、位置情報、返却予定日時情報及び個人情報などがＲＦＩＤタグ３に記憶されたＤＶＤが会員にレンタルされることとなる。
【０１９７】
会員は、自宅において、ＲＦＩＤタグ３が貼り付けられたＤＶＤを情報記録再生装置２に挿入する。なお、この情報記録再生装置２は、図２及び図１２に示す情報記録再生装置２の構成と同じである。
【０１９８】
そして、図１５に示すアクセス認証処理が行われ、ＤＶＤに記録されているコンテンツの再生が行われる。このとき、ステップＳ７７で位置情報が一致すると判断された場合、返却予定日時を超えているか否かの判断が行われる。すなわち、返却予定日時を超えていると判断された場合、ステップＳ８０の処理に移行し、コンテンツ再生不可表示が行われる。一方、返却予定日時を超えていないと判断された場合、ステップＳ７８の処理に移行し、ＤＶＤへのアクセスが許可される。
【０１９９】
このように、会員は、ＲＦＩＤタグ３の位置情報が一致し、かつ返却予定日時を超えていない場合にのみ、コンテンツを再生することが可能となる。
【０２００】
なお、本実施形態における情報記録再生装置２では、検出したＲＦＩＤタグ３の位置情報をＲＦＩＤタグ３に送信し、当該ＲＦＩＤタグ３に位置情報を記憶させているが、本発明は特にこれに限定されず、検出したＲＦＩＤタグ３の位置情報を情報記録再生装置２が備える固定記録媒体に記録してもよい。図２３は、位置情報を固定記録媒体に記録する場合における情報記録再生装置の位置検出及びアクセス認証に関係する内部構成を示す図である。
【０２０１】
図２３に示すように、位置検出処理において、位置検出部１５５は、光ディスクＯＤに貼り付けられたＲＦＩＤタグ３の位置を検出する。そして、位置検出部１５５は、検出したＲＦＩＤタグ３の位置情報を固定記録媒体記録部１６へ出力する。固定記録媒体記録部１６は、位置検出部１５５によって検出された位置情報を固定記録媒体に記憶する。
【０２０２】
また、アクセス認証処理において、アクセス認証部１６１は、固定記録媒体に記憶されている位置情報を読み出す。次に、位置検出部１５５は、光ディスクＯＤにおけるＲＦＩＤタグ３の位置を検出し、検出した位置情報をアクセス認証部１６１へ出力する。そして、アクセス認証部１６１は、検出した位置が、固定記録媒体から読み出された位置情報に一致するか否かを判断する。検出した位置が、固定記録媒体から読み出された位置情報に一致すると判断された場合、アクセス認証部１６１は、光ディスクＯＤへのアクセスを許可する。
【０２０３】
この場合、ＲＦＩＤタグ３が貼り付けられた光ディスクＯＤに対して、特定の情報記録再生装置のみがアクセスすることができる。したがって、例えば、社外秘の情報を記録した光ディスクＯＤを特定の情報記録再生装置のみで再生する場合などに有効であり、会社などでの情報セキュリティにも適用することができる。
【０２０４】
このように、光ディスクＯＤに設けられたＲＦＩＤタグ３の光ディスクＯＤ上における位置が検出され、検出されたＲＦＩＤタグ３の光ディスクＯＤ上における位置が位置情報として記憶される。
【０２０５】
したがって、光ディスクＯＤに設けられたＲＦＩＤタグ３の光ディスクＯＤ上における位置が検出され、検出されたＲＦＩＤタグ３の光ディスクＯＤ上における位置が位置情報として記憶されるので、この位置情報を光ディスクＯＤへのアクセス認証に用いることにより、光ディスクＯＤに記録されている情報の不正な複製を防止することができる。例えば、光ディスクＯＤに設けられたＲＦＩＤタグ３を取り外し、当該光ディスクＯＤに記録された情報を複製した他の光ディスクに貼り付けたとしても、貼り付けた位置とＲＦＩＤタグ３に記憶されている位置情報とが一致しない限り、光ディスクにアクセスすることはできず、光ディスクＯＤに記録されている情報の不正な複製を防止することができる。
【０２０６】
なお、上述した具体的実施形態には以下の構成を有する発明が主に含まれている。
【０２０７】
本発明の一局面に係る位置検出装置は、記録媒体に設けられた情報記憶装置の前記記録媒体上における位置を検出する位置検出手段と、前記位置検出手段によって検出された前記情報記憶装置の前記記録媒体上における位置を位置情報として前記情報記憶装置に書き込む位置情報書込手段とを備える。
【０２０８】
本発明の他の局面に係る位置検出方法は、記録媒体に設けられた情報記憶装置の前記記録媒体上における位置を検出する位置検出ステップと、前記位置検出ステップにおいて検出された前記情報記憶装置の前記記録媒体上における位置を位置情報として前記情報記憶装置に書き込む位置情報書込ステップとを含む。
【０２０９】
これらの構成によれば、記録媒体に設けられた情報記憶装置の記録媒体上における位置が検出され、検出された情報記憶装置の記録媒体上における位置が位置情報として情報記憶装置に書き込まれる。
【０２１０】
したがって、記録媒体に設けられた情報記憶装置の記録媒体上における位置が検出され、検出された情報記憶装置の記録媒体上における位置が位置情報として情報記憶装置に書き込まれるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【０２１１】
本発明の他の局面に係る位置検出装置は、記録媒体に設けられた情報記憶装置の前記記録媒体上における位置を検出する位置検出手段と、前記位置検出手段によって検出された前記情報記憶装置の前記記録媒体上における位置を位置情報として記憶する位置情報記憶手段とを備える。
【０２１２】
この構成によれば、記録媒体に設けられた情報記憶装置の記録媒体上における位置が検出され、検出された情報記憶装置の記録媒体上における位置が位置情報として記憶される。
【０２１３】
したがって、記録媒体に設けられた情報記憶装置の記録媒体上における位置が検出され、検出された情報記憶装置の記録媒体上における位置が位置情報として記憶されるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【０２１４】
上記の位置検出装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に対向するレーベル面に貼り付けられ、前記位置検出手段は、前記レーベル面からレーザ光を照射し、フォーカスエラー信号を検出するフォーカスエラー信号検出手段と、前記フォーカスエラー信号検出手段によって検出されたフォーカスエラー信号が他と異なる位置をトラバース位置として記憶するトラバース位置記憶手段と、前記記録面からレーザ光を照射し、前記トラバース位置記憶手段に記憶されているトラバース位置に光ヘッドを移動させ、当該トラバース位置におけるトラック位置を検出するトラック位置検出手段とを含むことが好ましい。
【０２１５】
この構成によれば、記録媒体は、光ヘッドから照射されるレーザ光を用いて光記録情報を記録及び／又は再生される光ディスクを含んでおり、情報記憶装置は、レーザ光が入射する光ディスクの記録面に対向するレーベル面に貼り付けられる。そして、レーベル面からレーザ光を照射し、フォーカスエラー信号が検出され、検出されたフォーカスエラー信号が他と異なる位置がトラバース位置として記憶される。その後、記録面からレーザ光を照射し、記憶されているトラバース位置に光ヘッドを移動させ、当該トラバース位置におけるトラック位置が検出される。
【０２１６】
したがって、情報記憶装置が貼り付けられているレーベル面にレーザ光を照射した場合、情報記憶装置の分だけフォーカス位置がずれ、フォーカスエラー信号が検出されることとなる。そのため、フォーカスエラー信号が検出されたときのトラバース位置を記憶しておき、記録面にレーザ光を照射し、記憶しておいたトラバース位置まで光ヘッドを移動させ、光ディスクのトラック位置を検出することにより、情報記憶装置が貼り付けられている位置を検出することができる。
【０２１７】
上記の位置検出装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に対向するレーベル面に貼り付けられるとともに、所定の電波を送信し、前記位置検出手段は、前記光ヘッドに設けられ、前記情報記憶装置によって送信される電波を受信する受信手段と、前記光ヘッドを移動させ、前記受信手段によって受信される電波の強度が最大となる位置のアドレスを検出するアドレス検出手段とを含むことが好ましい。
【０２１８】
この構成によれば、記録媒体は、光ヘッドから照射されるレーザ光を用いて光記録情報を記録及び／又は再生される光ディスクを含んでいる。また、情報記憶装置は、レーザ光が入射する光ディスクの記録面に対向するレーベル面に貼り付けられる。さらに、情報記憶装置から所定の電波が送信され、光ヘッドに設けられた受信手段により、情報記憶装置によって送信される電波が受信される。そして、光ヘッドが移動され、受信手段によって受信される電波の強度が最大となる位置のアドレスが検出される。
【０２１９】
したがって、光ヘッドを移動させながら、情報記憶装置から送信される電波を受信し、当該電波の強度が最大となる位置の光ディスクのアドレスを検出することにより、情報記憶装置が貼り付けられている位置を検出することができる。
【０２２０】
上記の位置検出装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に対向するレーベル面に貼り付けられるとともに、レーザ光の受光に応じて電波を送信し、前記位置検出手段は、前記情報記憶装置によって送信される電波を受信する受信手段と、前記光ヘッドを移動させ、前記受信手段によって電波が受信されたときのアドレスを検出するアドレス検出手段とを含むことが好ましい。
【０２２１】
この構成によれば、記録媒体は、光ヘッドから照射されるレーザ光を用いて光記録情報を記録及び／又は再生される光ディスクを含んでいる。また、情報記憶装置は、レーザ光が入射する光ディスクの記録面に対向するレーベル面に貼り付けられる。さらに、レーザ光の受光に応じて情報記憶装置から電波が送信され、受信手段によって、情報記憶装置から送信される電波が受信される。そして、光ヘッドが移動され、受信手段によって電波が受信されたときのアドレスが検出される。
【０２２２】
したがって、情報記憶装置は、レーザ光の受光に応じて電波を送信するので、光ヘッドを移動させながら、情報記憶装置から送信される電波が受信されたときの光ディスクのアドレスを検出することにより、情報記憶装置が貼り付けられている位置を検出することができる。
【０２２３】
上記の位置検出装置において、前記情報記憶装置は、レーザ光を検知する光検知手段と、前記光検知手段によってレーザ光が検知された場合に電波を送信する送信手段とを含むことが好ましい。この構成によれば、光ディスクを透過したレーザ光を検知した場合に電波が出力されるので、光ヘッドを移動させながら、情報記憶装置から送信される電波が受信されたときの光ディスクのアドレスを検出することにより、情報記憶装置が貼り付けられている位置を検出することができる。
【０２２４】
上記の位置検出装置において、前記情報記憶装置は、レーザ光が前記光ディスクに照射されることによって発生する熱を検知する熱検知手段と、前記熱検知手段によって熱が検知された場合に電波を送信する送信手段とを含むことが好ましい。この構成によれば、レーザ光が光ディスクに照射されることによって発生する熱を検知した場合に電波が出力されるので、光ヘッドを移動させながら、情報記憶装置から送信される電波が受信されたときの光ディスクのアドレスを検出することにより、情報記憶装置が貼り付けられている位置を検出することができる。
【０２２５】
上記の位置検出装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に貼り付けられ、前記位置検出手段は、前記光ディスクを再生し、再生することができないアドレスを検出するアドレス検出手段を含むことが好ましい。
【０２２６】
この構成によれば、記録媒体は、光ヘッドから照射されるレーザ光を用いて光記録情報を記録及び／又は再生される光ディスクを含んでおり、情報記憶装置は、レーザ光が入射する光ディスクの記録面に貼り付けられる。そして、光ディスクが再生され、再生することができないアドレスが検出される。
【０２２７】
したがって、情報記憶装置は、レーザ光が入射する光ディスクの記録面に貼り付けられているので、光ディスクを再生したときに、再生することができない領域のアドレスを検出することにより、情報記憶装置が貼り付けられている位置を検出することができる。
【０２２８】
本発明の他の局面に係るアクセス認証装置は、情報記憶装置が設けられた記録媒体へのアクセスを認証するアクセス認証装置であって、前記情報記憶装置は、前記情報記憶装置が配置されている前記記録媒体上の位置を表す位置情報を記憶しており、前記情報記憶装置が配置されている前記記録媒体上の位置を検出する位置検出手段と、前記情報記憶装置から位置情報を読み出す位置情報読出手段と、前記位置検出手段によって検出された位置が、前記位置情報読出手段によって読み出された位置情報と一致するか否かを判断する判断手段と、検出された位置が読み出された位置情報と一致すると判断された場合、前記記録媒体へのアクセスを許可するアクセス許可手段とを備える。
【０２２９】
本発明の他の局面に係るアクセス認証方法は、情報記憶装置が設けられた記録媒体へのアクセスを認証するためのアクセス認証方法であって、前記情報記憶装置は、前記情報記憶装置が配置されている前記記録媒体上の位置を表す位置情報を記憶しており、前記情報記憶装置が配置されている前記記録媒体上の位置を検出する位置検出ステップと、前記情報記憶装置から位置情報を読み出す位置情報読出ステップと、前記位置検出ステップにおいて検出された位置が、前記位置情報読出ステップにおいて読み出された位置情報と一致するか否かを判断する判断ステップと、検出された位置が読み出された位置情報と一致すると判断された場合、前記記録媒体へのアクセスを許可するアクセス許可ステップとを含む。
【０２３０】
これらの構成によれば、情報記憶装置には、情報記憶装置が配置されている記録媒体上の位置を表す位置情報が記憶されており、情報記憶装置が配置されている記録媒体上の位置が検出され、情報記憶装置から位置情報が読み出される。そして、検出された位置が、読み出された位置情報と一致するか否かが判断され、検出された位置が読み出された位置情報と一致すると判断された場合、記録媒体へのアクセスが許可される。
【０２３１】
したがって、検出された位置が読み出された位置情報と一致しないと判断された場合、記録媒体へのアクセスが許可されないので、例えば、記録媒体に設けられた情報記憶装置を取り外し、当該記録媒体に記録された情報を複製した他の記録媒体に貼り付けたとしても、貼り付けた位置が一致しない限り、記録媒体にアクセスすることはできず、記録媒体に記録されている情報の不正な複製を防止することができる。
【０２３２】
上記のアクセス認証装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に対向するレーベル面に貼り付けられるとともに、前記情報記憶装置が貼り付けられている前記光ディスク上のトラック位置を表す位置情報を記憶しており、前記位置検出手段は、前記レーベル面からレーザ光を照射し、フォーカスエラー信号を検出するフォーカスエラー信号検出手段と、前記フォーカスエラー信号検出手段によって検出されたフォーカスエラー信号が他と異なる位置をトラバース位置として記憶するトラバース位置記憶手段と、前記記録面からレーザ光を照射し、前記トラバース位置記憶手段に記憶されているトラバース位置に光ヘッドを移動させ、当該トラバース位置におけるトラック位置を検出するトラック位置検出手段とを含むことが好ましい。
【０２３３】
この構成によれば、記録媒体は、光ヘッドから照射されるレーザ光を用いて光記録情報を記録及び／又は再生される光ディスクを含んでおり、情報記憶装置は、レーザ光が入射する光ディスクの記録面に対向するレーベル面に貼り付けられるとともに、情報記憶装置が貼り付けられている光ディスク上のトラック位置を表す位置情報を記憶している。そして、レーベル面からレーザ光を照射し、フォーカスエラー信号が検出され、検出されたフォーカスエラー信号が他と異なる位置がトラバース位置として記憶される。その後、記録面からレーザ光を照射し、前記トラバース位置記憶手段に記憶されているトラバース位置に光ヘッドを移動させ、当該トラバース位置におけるトラック位置が検出される。
【０２３４】
したがって、情報記憶装置が貼り付けられているレーベル面にレーザ光を照射した場合、情報記憶装置の分だけフォーカス位置がずれ、フォーカスエラー信号が検出されることとなる。そのため、フォーカスエラー信号が検出されたときのトラバース位置を記憶しておき、記録面にレーザ光を照射し、記憶しておいたトラバース位置まで光ヘッドを移動させ、光ディスクのトラック位置を検出することにより、情報記憶装置が貼り付けられている位置を検出することができる。
【０２３５】
上記のアクセス認証装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に対向するレーベル面に貼り付けられるとともに、前記情報記憶装置が貼り付けられている前記光ディスク上のアドレス位置を表す位置情報を記憶しているとともに、所定の電波を送信し、前記位置検出手段は、前記光ヘッドに設けられ、前記情報記憶装置によって送信される電波を受信する受信手段と、前記光ヘッドを移動させ、前記受信手段によって受信される電波の強度が最大となる位置のアドレスを検出するアドレス検出手段とを含むことが好ましい。
【０２３６】
この構成によれば、記録媒体は、光ヘッドから照射されるレーザ光を用いて光記録情報を記録及び／又は再生される光ディスクを含んでいる。また、情報記憶装置は、レーザ光が入射する光ディスクの記録面に対向するレーベル面に貼り付けられるとともに、情報記憶装置が貼り付けられている光ディスク上のアドレス位置を表す位置情報が記憶されている。さらに、情報記憶装置から所定の電波が送信され、光ヘッドに設けられた受信手段により、情報記憶装置によって送信される電波が受信される。そして、光ヘッドが移動され、受信手段によって受信される電波の強度が最大となる位置のアドレスが検出される。
【０２３７】
したがって、光ヘッドを移動させながら、情報記憶装置から送信される電波を受信し、当該電波の強度が最大となる位置の光ディスクのアドレスを検出することにより、情報記憶装置が貼り付けられている位置を検出することができる。
【０２３８】
上記のアクセス認証装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に対向するレーベル面に貼り付けられるとともに、前記情報記憶装置が貼り付けられている前記光ディスク上のアドレス位置を表す位置情報を記憶しているとともに、レーザ光の受光に応じて電波を送信し、前記位置検出手段は、前記情報記憶装置によって送信される電波を受信する受信手段と、前記光ヘッドを移動させ、前記受信手段によって電波が受信されたときのアドレスを検出するアドレス検出手段とを含むことが好ましい。
【０２３９】
この構成によれば、記録媒体は、光ヘッドから照射されるレーザ光を用いて光記録情報を記録及び／又は再生される光ディスクを含んでいる。また、情報記憶装置は、レーザ光が入射する光ディスクの記録面に対向するレーベル面に貼り付けられるとともに、情報記憶装置が貼り付けられている光ディスク上のアドレス位置を表す位置情報が記憶されている。さらに、レーザ光の受光に応じて情報記憶装置から電波が送信され、受信手段によって、情報記憶装置から送信される電波が受信される。そして、光ヘッドが移動され、受信手段によって電波が受信されたときのアドレスが検出される。
【０２４０】
したがって、情報記憶装置は、レーザ光の受光に応じて電波を送信するので、光ヘッドを移動させ、情報記憶装置から送信される電波が受信されたときの光ディスクのアドレスを検出することにより、情報記憶装置が貼り付けられている位置を検出することができる。
【０２４１】
上記のアクセス認証装置において、前記情報記憶装置は、レーザ光を検知する光検知手段と、前記光検知手段によってレーザ光が検知された場合に電波を送信する送信手段とを含むことが好ましい。この構成によれば、光ディスクを透過したレーザ光を検知した場合に電波が出力されるので、光ヘッドを移動させながら、情報記憶装置から送信される電波が受信されたときの光ディスクのアドレスを検出することにより、情報記憶装置が貼り付けられている位置を検出することができる。
【０２４２】
上記のアクセス認証装置において、前記情報記憶装置は、レーザ光が前記光ディスクに照射されることによって発生する熱を検知する熱検知手段と、前記熱検知手段によって熱が検知された場合に電波を送信する送信手段とを含むことが好ましい。この構成によれば、レーザ光が光ディスクに照射されることによって発生する熱を検知した場合に電波が出力されるので、光ヘッドを移動させながら、情報記憶装置から送信される電波が受信されたときの光ディスクのアドレスを検出することにより、情報記憶装置が貼り付けられている位置を検出することができる。
【０２４３】
上記のアクセス認証装置において、前記記録媒体は、光ヘッドから照射されるレーザ光を用いて光記録情報を記録及び／又は再生される光ディスクを含み、前記情報記憶装置は、レーザ光が入射する前記光ディスクの記録面に貼り付けられるとともに、前記情報記憶装置が貼り付けられている前記光ディスク上のアドレス位置を表す位置情報を記憶しており、前記位置検出手段は、前記光ディスクを再生し、再生することができないアドレスを検出するアドレス検出手段を含むことが好ましい。
【０２４４】
この構成によれば、記録媒体は、光ヘッドから照射されるレーザ光を用いて光記録情報を記録及び／又は再生される光ディスクを含んでおり、情報記憶装置は、レーザ光が入射する光ディスクの記録面に貼り付けられるとともに、情報記憶装置が貼り付けられている光ディスク上のアドレス位置を表す位置情報が記憶されている。そして、光ディスクが再生され、再生することができないアドレスが検出される。
【０２４５】
したがって、情報記憶装置は、レーザ光が入射する光ディスクの記録面に貼り付けられているので、光ディスクを再生したときに、再生することができない領域のアドレスを検出することにより、情報記憶装置が貼り付けられている位置を検出することができる。
【０２４６】
本発明の他の局面に係る情報記憶装置は、記録媒体に貼り付けられた情報記憶装置の前記記録媒体上の位置を検出する位置検出装置によって検出された位置情報を前記位置検出装置から取得する位置情報取得手段と、前記位置情報取得手段によって取得された位置情報を記憶する位置情報記憶手段とを備える。
【０２４７】
この構成によれば、記録媒体に貼り付けられた情報記憶装置の記録媒体上の位置を検出する位置検出装置によって検出された位置情報が位置検出装置から取得され、取得された位置情報が記憶される。
【０２４８】
したがって、記録媒体に設けられた情報記憶装置の記録媒体上における位置が位置情報として情報記憶装置に記憶されるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【０２４９】
本発明の他の局面に係る光ディスクは、情報記憶装置が予め決められた位置に埋め込まれており、前記情報記憶装置は、前記情報記憶装置の前記光ディスク上の位置情報を予め記憶する位置情報記憶手段を備える。
【０２５０】
この構成によれば、情報記憶装置が予め決められた位置に埋め込まれており、情報記憶装置には、情報記憶装置の光ディスク上の位置情報が予め記憶されているので、この位置情報を光ディスクへのアクセス認証に用いることにより、光ディスクに記録されている情報の不正な複製を防止することができる。例えば、情報記憶装置が埋め込まれた光ディスクに記録された情報を複製し、当該複製した光ディスクにアクセスする場合、情報記憶装置が埋め込まれていないため、光ディスクにアクセスすることはできず、光ディスクに記録されている情報の不正な複製を防止することができる。
【０２５１】
上記の光ディスクにおいて、複数の記録層を有しており、前記情報記憶装置は、前記複数の記録層のうちの１の記録層に配置されることが好ましい。
【０２５２】
この構成によれば、複数の記録層を有しており、情報記憶装置は、複数の記録層のうちの１の記録層に配置されるので、この位置情報を他の記録層へのアクセス認証に用いることにより、光ディスクに記録されている情報の不正な複製を防止することができる。例えば、情報記憶装置が複数の記録層のうちの１の記録層に埋め込まれた光ディスクに記録された情報を複製し、当該複製した光ディスクの他の記録層にアクセスする場合、１の記録層に情報記憶装置が埋め込まれていないため、複製した光ディスクの他の記録層にアクセスすることはできず、光ディスクに記録されている情報の不正な複製を防止することができる。
【０２５３】
本発明の他の局面に係る位置検出制御装置は、記録媒体に設けられた情報記憶装置の前記記録媒体上における位置を検出するための指示を行う位置検出指示手段と、前記指示によって検出された前記情報記憶装置の前記記録媒体上における位置を位置情報として前記情報記憶装置に書き込むための指示を行う位置情報書込指示手段とを備える。
【０２５４】
本発明の他の局面に係る位置検出制御方法は、記録媒体に設けられた情報記憶装置の前記記録媒体上における位置を検出するための指示を行う位置検出指示ステップと、前記指示によって検出された前記情報記憶装置の前記記録媒体上における位置を位置情報として前記情報記憶装置に書き込むための指示を行う位置情報書込指示ステップとを含む。
【０２５５】
本発明の他の局面に係る位置検出制御プログラムは、記録媒体に設けられた情報記憶装置の前記記録媒体上における位置を検出するための指示を行う位置検出指示手段と、前記指示によって検出された前記情報記憶装置の前記記録媒体上における位置を位置情報として前記情報記憶装置に書き込むための指示を行う位置情報書込指示手段としてコンピュータを機能させる。
【０２５６】
これらの構成によれば、記録媒体に設けられた情報記憶装置の記録媒体上における位置の検出を検出するための指示が行われ、検出された情報記憶装置の記録媒体上における位置を位置情報として情報記憶装置に書き込むための指示が行われる。
【０２５７】
したがって、記録媒体に設けられた情報記憶装置の記録媒体上における位置を検出するための指示が行われ、検出された情報記憶装置の記録媒体上における位置を位置情報として情報記憶装置に書き込むための指示が行われるので、この位置情報を記録媒体へのアクセス認証に用いることにより、記録媒体に記録されている情報の不正な複製を防止することができる。例えば、記録媒体に設けられた情報記憶装置を取り外し、当該記録媒体に記録された情報を複製した他の記録媒体に貼り付けたとしても、貼り付けた位置と情報記憶装置に記憶されている位置情報とが一致しない限り、記録媒体にアクセスすることはできず、記録媒体に記録されている情報の不正な複製を防止することができる。
【０２５８】
本発明の他の局面に係るアクセス認証制御装置は、情報記憶装置が設けられた記録媒体へのアクセスを認証するアクセス認証制御装置であって、前記情報記憶装置は、前記情報記憶装置が配置されている前記記録媒体上の位置を表す位置情報を記憶しており、前記情報記憶装置が配置されている前記記録媒体上の位置が検出され、検出された位置が入力される検出位置入力手段と、前記情報記憶装置から読み出された位置情報が入力される位置情報入力手段と、前記検出位置入力手段に入力された検出位置が、前記位置情報入力手段に入力された位置情報と一致するか否かを判断する判断手段と、検出位置が位置情報と一致すると判断された場合、前記記録媒体へのアクセスを許可するアクセス許可手段とを備える。
【０２５９】
本発明の他の局面に係るアクセス認証制御方法は、情報記憶装置が設けられた記録媒体へのアクセスを認証するためのアクセス認証制御方法であって、前記情報記憶装置は、前記情報記憶装置が配置されている前記記録媒体上の位置を表す位置情報を記憶しており、前記情報記憶装置が配置されている前記記録媒体上の位置が検出され、検出された位置が入力される検出位置入力ステップと、前記情報記憶装置から読み出された位置情報が入力される位置情報入力ステップと、前記検出位置入力ステップにおいて入力された検出位置が、前記位置情報入力ステップにおいて入力された位置情報と一致するか否かを判断する判断ステップと、前記判断ステップにおいて検出位置が位置情報と一致すると判断された場合、前記記録媒体へのアクセスを許可するアクセス許可ステップとを含む。
【０２６０】
本発明の他の局面に係るアクセス認証制御プログラムは、情報記憶装置が設けられた記録媒体へのアクセスを認証するためのアクセス認証制御プログラムであって、前記情報記憶装置は、前記情報記憶装置が配置されている前記記録媒体上の位置を表す位置情報を記憶しており、前記情報記憶装置が配置されている前記記録媒体上の位置が検出され、検出された位置が入力される検出位置入力手段と、前記情報記憶装置から読み出された位置情報が入力される位置情報入力手段と、前記検出位置入力手段に入力された検出位置が、前記位置情報入力手段に入力された位置情報と一致するか否かを判断する判断手段と、前記判断手段によって検出位置が位置情報と一致すると判断された場合、前記記録媒体へのアクセスを許可するアクセス許可手段としてコンピュータを機能させる。
【０２６１】
これらの構成によれば、情報記憶装置には、情報記憶装置が配置されている記録媒体上の位置を表す位置情報が記憶されている。情報記憶装置が配置されている記録媒体上の位置が検出され、検出された位置が入力される。続いて、情報記憶装置から読み出された位置情報が入力される。そして、検出位置が位置情報と一致するか否かが判断され、検出位置が位置情報と一致すると判断された場合、記録媒体へのアクセスが許可される。
【０２６２】
したがって、検出位置が位置情報と一致しないと判断された場合、記録媒体へのアクセスが許可されないので、例えば、記録媒体に設けられた情報記憶装置を取り外し、当該記録媒体に記録された情報を複製した他の記録媒体に貼り付けたとしても、貼り付けた位置が一致しない限り、記録媒体にアクセスすることはできず、記録媒体に記録されている情報の不正な複製を防止することができる。
【産業上の利用可能性】
【０２６３】
本発明に係る位置検出装置、位置検出方法、位置検出制御装置、位置検出制御方法、位置検出制御プログラム、アクセス認証装置、アクセス認証方法、アクセス認証制御装置、アクセス認証制御方法、アクセス認証制御プログラム、情報記憶装置及び光ディスクは、記録媒体に記録されている情報の不正な複製を防止することができ、記録媒体に設けられた情報記憶装置の位置を検出する位置検出装置、位置検出方法、位置検出制御装置、位置検出制御方法及び位置検出制御プログラム、情報記憶装置が設けられた記録媒体へのアクセスを認証するアクセス認証装置、アクセス認証方法、アクセス認証制御装置、アクセス認証制御方法及びアクセス認証制御プログラム、記録媒体に設けられた情報記憶装置、並びに光ヘッドから照射されるレーザ光を用いて光記録情報を記録及び／又は再生される光ディスク等として有用である。
【０２６４】
また、本発明に係る記録媒体情報アクセスシステムは、記録媒体に記録されている情報の不正な複製を防止することができ、情報を記録及び／又は再生される記録媒体の記録媒体情報アクセスシステム等として有用である。
【図面の簡単な説明】
【０２６５】
【図１】本発明の第１の実施形態による光ディスク情報アクセスシステムの概略構成を示す図である。
【図２】図１に示す情報記録再生装置の内部構成を示すブロック図である。
【図３】図１に示すＲＦＩＤタグの内部構成を示すブロック図である。
【図４】本発明に係る光ディスクについて説明するための図である。
【図５】図１〜３に示す光ディスク情報アクセスシステムにおける情報再生処理の一例を説明するためのフローチャートである。
【図６】第２の実施形態の光ディスク情報アクセスシステムにおける情報再生処理の一例について説明するためのフローチャートである。
【図７】第１の変形例における光ディスクについて説明するための図である。
【図８】第２の変形例における光ディスクについて説明するための図である。
【図９】第３の変形例における光ディスクについて説明するための図である。
【図１０】本発明の第３の実施形態による光ディスク情報アクセスシステムの概略構成を示す図である。
【図１１】本発明の第３の実施形態に係る光ディスクについて説明するための図である。
【図１２】第３の実施形態における情報記録再生装置の位置検出及びアクセス認証に関係する内部構成を示す図である。
【図１３】アクセス認証部の具体的な構成を示すブロック図である。
【図１４】ＲＦＩＤタグに位置情報を記憶する処理について説明するためのフローチャートである。
【図１５】ＲＦＩＤタグが設けられた光ディスクへのアクセスを認証する処理について説明するためのフローチャートである。
【図１６】第３の実施形態の第１の変形例に係る光ディスクについて説明するための図である。
【図１７】第３の実施形態の第１の変形例におけるＲＦＩＤタグの位置検出処理について説明するための図である。
【図１８】第３の実施形態の第２の変形例におけるＲＦＩＤタグの位置検出処理について説明するための図である。
【図１９】第３の実施形態の第３の変形例におけるＲＦＩＤタグの構成を示す図である。
【図２０】第３の実施形態の第３の変形例におけるＲＦＩＤタグの位置検出処理について説明するための図である。
【図２１】光ディスクの構造の概略を示す半径方向の断面図である。
【図２２】光ディスクの他の構造の概略を示す半径方向の断面図である。
【図２３】位置情報を固定記録媒体に記録する場合における情報記録再生装置の位置検出及びアクセス認証に関係する内部構成を示す図である。
【図１】
0004813458.tif 000002
【図２】
0004813458.tif 000003
【図３】
0004813458.tif 000004
【図４】
0004813458.tif 000005
【図５】
0004813458.tif 000006
【図６】
0004813458.tif 000007
【図７】
0004813458.tif 000008
【図８】
0004813458.tif 000009
【図９】
0004813458.tif 000010
【図１０】
0004813458.tif 000011
【図１１】
0004813458.tif 000012
【図１２】
0004813458.tif 000013
【図１３】
0004813458.tif 000014
【図１４】
0004813458.tif 000015
【図１５】
0004813458.tif 000016
【図１６】
0004813458.tif 000017
【図１７】
0004813458.tif 000018
【図１８】
0004813458.tif 000019
【図１９】
0004813458.tif 000020
【図２０】
0004813458.tif 000021
【図２１】
0004813458.tif 000022
【図２２】
0004813458.tif 000023
【図２３】
0004813458.tif 000024